(57)【要約】【課題】高エネルギーの場で、熱は遠赤外線でできるのか。マグマの温度は高い。これはどうしてか。引力はどのようにできるか。万有引力とは何か。【解決手段】電子のラブが自転することによってできた磁気の光子は、１個１個独立します。その時、電気の光子の軌道が切れて、熱エネルギーに変換します。高エネルギーの場は圧力が大きいので、磁気の光子はより小さい軌道で独立します。電気の光子の軌道も小さい軌道で切れます。それで、できた熱粒子も小さい軌道で、高エネルギーの熱粒子ができる。熱は遠赤外線の軌道だけでできるのではない。高エネルギーの場では、熱はもっと小さい軌道でできる。独立した磁気の光子は引力になる。万有引力とは、独立した磁気の光子が1つの単位になっている。万有引力とは、1秒間にできる磁気の光子のエネルギー×独立した磁気の光子の自転軌道です。【選択図】図１
2009207352.tif 000002
【特許請求の範囲】
【請求項１】
地表において、熱になる電気の光子の軌道はいくらか。
地表において、熱になる電気の光子の軌道をｘｍとする。
地表において、1秒間にできる電気の光子のエネルギーは、1℃です。
1秒間にできる電気の光子のエネルギー＝1公転で作る電気の光子のエネルギー×1秒間の公転数＝1.233×10−41Jm÷ｘｍ×(7.96×107)2＝273×1.38065×10−23J=3.76917×10−21J
ｘｍ＝1.233×10−41Jm×(7.96×107)2÷(3.76917×10−21J)＝2.072733×10−5ｍ
地表において、熱になる電気の光子の軌道は、2.073×10−5ｍです。
【請求項２】
地球の中の軌道において熱になる電気の光子の軌道はいくらか。1秒間にできる電気の光子の熱エネルギーはいくらか。温度はいくらか。1個の熱粒子のエネルギーはいくらか。1個の熱粒子の軌道はいくらか。1個の熱粒子の軌道エネルギーはいくらか。
地球の中では、圧力が高く、この圧力によって、磁気の光子は小さい軌道で独立しようとする。熱は磁気の光子が小さい軌道で独立しようとし、電気の光子の軌道が約108箇所で切れたときできる。熱粒子については、2008年3月27日に提出した、特願2008−113159の「請求項9」に記した。
・地下6500Ｋｍでは、温度は7600K＝7327℃である。この場のAは、85.6です。(Aは地表のエネルギーのA倍であることを示す。)
温度1℃で、熱になる電気の光子の軌道は、2.073×10−5ｍです。
A=85.6では、熱になる電気の光子の軌道は、2.073×10−5ｍ÷85.6＝2.422×10−7ｍです。
1秒間にできる電気の光子の熱エネルギーは、
1秒間にできる電気の光子の熱エネルギー＝1公転で作る電気の光子の熱エネルギー×1秒間の公転数＝1.233×10−41Jm÷(2.422×10−7ｍ)×(7.96×107)2＝3.226×10−19J
この温度は、3.226×10−19J÷(3.769×10−21J)＝85.593℃
即ち、この場で、熱になる電気の光子の軌道は2.422×10−7ｍです。この電気の光子の軌道は7.96×10７箇所で切れ、このとき、電気の光子のエネルギーが熱エネルギーに変換されます。7.96×10７個の熱粒子ができます。
1個の熱粒子のエネルギーは、
1個の熱粒子のエネルギー＝1公転でできる電気の光子のエネルギー÷1公転の間に切れる箇所＝1.233×10−41Jm÷(2.422×10−7ｍ)÷(7.96×107箇所)＝6.396×10−43J
1秒間にできる熱粒子のエネルギーは、
1秒間にできる熱粒子のエネルギー＝1個の熱粒子のエネルギー×1公転でできた熱粒子数×1秒間の公転数＝6.396×10−43J×7.96×107個×(7.96×107)2＝3.226×10−19J
1個の熱粒子の軌道は、
軌道＝熱になる電気の光子の円周÷1公転の自転数＝2.422×10−7ｍ×3.14÷(7.96×107回)＝9.554×10−15ｍ
1個の熱粒子の軌道エネルギーは、
1個の熱粒子の軌道エネルギー＝1個の熱粒子のエネルギー×1個の熱粒子の軌道＝6.396×10−43J×9.554×10−15ｍ＝6.111×10−57Jm
これは、自転軌道エネルギーです。この値は、2006年11月15日に提出した、特願2006−336352.のデーターである、電子のラブが1自転して作る磁気の光子1個の自転軌道エネルギー、6.112×10−57Jmです。
・地下6000Ｋｍでは、温度は6000℃である。この場のAは、77.46です。
温度1℃で、熱になる電気の光子の軌道は、2.073×10−5ｍです。
A=77.46では、熱になる電気の光子の軌道は、2.073×10−5ｍ÷77.46＝2.676×10−7ｍです。
1秒間にできる電気の光子の熱エネルギーは、
1秒間にできる電気の光子の熱エネルギー＝1公転で作る電気の光子の熱エネルギー×1秒間の公転数＝1.233×10−41Jm÷(2.676×10−7ｍ)×(7.96×107)2＝2.919×10−19J
この温度は、2.919×10−19J÷(3.769×10−21J)＝77.45℃
即ち、この場で、熱になる電気の光子の軌道は2.676×10−7ｍです。この電気の光子の軌道は7.96×10７箇所で切れ、このとき、電気の光子のエネルギーが熱エネルギーに変換されます。7.96×10７個の熱粒子ができます。
1個の熱粒子のエネルギーは、
1個の熱粒子のエネルギー＝1公転でできる電気の光子のエネルギー÷1公転の間に切れる箇所＝1.233×10−41Jm÷(2.676×10−7ｍ)÷(7.96×107箇所)＝5.788×10−43J
1秒間にできる熱粒子のエネルギーは、
1秒間にできる熱粒子のエネルギー＝1個の熱粒子のエネルギー×1公転でできた熱粒子数×1秒間の公転数＝5.788×10−43J×7.96×107個×(7.96×107)2＝2.919×10−19J
1個の熱粒子の軌道は、
軌道＝熱になる電気の光子の円周÷1公転の自転数＝2.676×10−7ｍ×3.14÷(7.96×107回)＝1.056×10−14ｍ
1個の熱粒子の軌道エネルギーは、
1個の熱粒子の軌道エネルギー＝1個の熱粒子のエネルギー×1個の熱粒子の軌道＝5.788×10−43J×1.056×10−14ｍ＝6.111×10−57Jm
これは、自転軌道エネルギーです。
・地下5000Ｋｍでは、温度は5000℃である。この場のAは、70.71です。
温度1℃で、熱になる電気の光子の軌道は、2.073×10−5ｍです。
A=70.71では、熱になる電気の光子の軌道は、2.073×10−5ｍ÷70.71＝2.932×10−7ｍです。
1秒間にできる電気の光子の熱エネルギーは、
1秒間にできる電気の光子の熱エネルギー＝1公転で作る電気の光子の熱エネルギー×1秒間の公転数＝1.233×10−41Jm÷(2.932×10−7ｍ)×(7.96×107)2＝2.665×10−19J
この温度は、2.665×10−19J÷(3.769×10−21J)＝70.71℃
即ち、この場で、熱になる電気の光子の軌道は2.932×10−7ｍです。この電気の光子の軌道は7.96×10７箇所で切れ、このとき、電気の光子のエネルギーが熱エネルギーに変換されます。7.96×10７個の熱粒子ができます。
1個の熱粒子のエネルギーは、
1個の熱粒子のエネルギー＝1公転でできる電気の光子のエネルギー÷1公転の間に切れる箇所＝1.233×10−41Jm÷(2.932×10−7ｍ)÷(7.96×107箇所)＝5.283×10−43J
1秒間にできる熱粒子のエネルギーは、
1秒間にできる熱粒子のエネルギー＝1個の熱粒子のエネルギー×1公転でできた熱粒子数×1秒間の公転数＝5.288×10−43J×7.96×107個×(7.96×107)2＝2.667×10−19J
1個の熱粒子の軌道は、
軌道＝熱になる電気の光子の円周÷1公転の自転数＝2.932×10−7ｍ×3.14÷(7.96×107回)＝1.157×10−14ｍ
1個の熱粒子の軌道エネルギーは、
1個の熱粒子の軌道エネルギー＝1個の熱粒子のエネルギー×1個の熱粒子の軌道＝5.283×10−43J×1.157×10−14ｍ＝6.112×10−57Jm
これは、自転軌道エネルギーです。
・地下4000Ｋｍでは、温度は4000℃である。この場のAは、63.25です。
温度1℃で、熱になる電気の光子の軌道は、2.073×10−5ｍです。
A=70.71では、熱になる電気の光子の軌道は、2.073×10−5ｍ÷63.25＝3.277×10−7ｍです。
1秒間にできる電気の光子のエネルギーは、
1秒間にできる電気の光子のエネルギー＝1公転で作る電気の光子のエネルギー×1秒間の公転数＝1.233×10−41Jm÷(3.277×10−7ｍ)×(7.96×107)2＝2.384×10−19J
この温度は、2.384×10−19J÷(3.769×10−21J)＝63.25℃
即ち、この場で、熱になる電気の光子の軌道は3.277×10−7ｍです。この電気の光子の軌道は7.96×10７箇所で切れ、このとき、電気の光子のエネルギーが熱エネルギーに変換されます。7.96×10７個の熱粒子ができます。
1個の熱粒子のエネルギーは、
1個の熱粒子のエネルギー＝1公転でできる電気の光子のエネルギー÷1公転の間に切れる箇所＝1.233×10−41Jm÷(3.277×10−7ｍ)÷(7.96×107箇所)＝4.727×10−43J
1秒間にできる熱粒子のエネルギーは、
1秒間にできる熱粒子のエネルギー＝1個の熱粒子のエネルギー×1公転でできた熱粒子数×1秒間の公転数＝4.727×10−43J×7.96×107個×(7.96×107)2＝2.384×10−19J
1個の熱粒子の軌道は、
軌道＝熱になる電気の光子の円周÷1公転の自転数＝3.277×10−7ｍ×3.14÷(7.96×107回)＝1.293×10−14ｍ
1個の熱粒子の軌道エネルギーは、
1個の熱粒子の軌道エネルギー＝1個の熱粒子のエネルギー×1個の熱粒子の軌道＝4.727×10−43J ×1.293×10−14ｍ＝6.112×10−57Jm
これは、自転軌道エネルギーです。
・地下3000Ｋｍでは、温度は3000℃である。この場のAは、54.77です。
温度1℃で、熱になる電気の光子の軌道は、2.073×10−5ｍです。
A=70.71では、熱になる電気の光子の軌道は、2.073×10−5ｍ÷54.77＝3.785×10−7ｍです。
1秒間にできる電気の光子の熱エネルギーは、
1秒間にできる電気の光子の熱エネルギー＝1公転で作る電気の光子の熱エネルギー×1秒間の公転数＝1.233×10−41Jm÷(3.785×10−7ｍ)×(7.96×107)2＝2.064×10−19J
この温度は、2.064×10−19J÷(3.769×10−21J)＝54.76℃
即ち、この場で、熱になる電気の光子の軌道は3.785×10−7ｍです。この電気の光子の軌道は7.96×10７箇所で切れ、このとき、電気の光子のエネルギーが熱エネルギーに変換されます。7.96×10７個の熱粒子ができます。
1個の熱粒子のエネルギーは、
1個の熱粒子のエネルギー＝1公転でできる電気の光子のエネルギー÷1公転の間に切れる箇所＝1.233×10−41Jm÷(3.785×10−7ｍ)÷(7.96×107箇所)＝4.092×10−43J
1秒間にできる熱粒子のエネルギーは、
1秒間にできる熱粒子のエネルギー＝1個の熱粒子のエネルギー×1公転でできた熱粒子数×1秒間の公転数＝4.092×10−43J×7.96×107個×(7.96×107)2＝2.064×10−19J
1個の熱粒子の軌道は、
軌道＝熱になる電気の光子の円周÷1公転の自転数＝3.785×10−7ｍ×3.14÷(7.96×107回)＝1.493×10−14ｍ
1個の熱粒子の軌道エネルギーは、
1個の熱粒子の軌道エネルギー＝1個の熱粒子のエネルギー×1個の熱粒子の軌道＝4.092×10−43J ×1.493×10−14ｍ＝6.109×10−57Jm
これは、自転軌道エネルギーです。
・地下2000Ｋｍでは、温度は2000℃である。この場のAは、44.72です。
温度1℃で、熱になる電気の光子の軌道は、2.073×10−5ｍです。
A=70.71では、熱になる電気の光子の軌道は、2.073×10−5ｍ÷44.72＝4.636×10−7ｍです。
1秒間にできる電気の光子の熱エネルギーは、
1秒間にできる電気の光子の熱エネルギー＝1公転で作る電気の光子の熱エネルギー×1秒間の公転数＝1.233×10−41Jm÷(4.636×10−7ｍ)×(7.96×107)2＝1.685×10−19J
この温度は、1.685×10−19J÷(3.769×10−21J)＝44.71℃
即ち、この場で、熱になる電気の光子の軌道は2.932×10−7ｍです。この電気の光子の軌道は7.96×10７箇所で切れ、このとき、電気の光子のエネルギーが熱エネルギーに変換されます。7.96×10７個の熱粒子ができます。
1個の熱粒子のエネルギーは、
1個の熱粒子のエネルギー＝1公転でできる電気の光子のエネルギー÷1公転の間に切れる箇所＝1.233×10−41Jm÷(4.636×10−7ｍ)÷(7.96×107箇所)＝3.341×10−43J
1秒間にできる熱粒子のエネルギーは、
1秒間にできる熱粒子のエネルギー＝1個の熱粒子のエネルギー×1公転でできた熱粒子数×1秒間の公転数＝3.341×10−43J×7.96×107個×(7.96×107)2＝1.685×10−19J
1個の熱粒子の軌道は、
軌道＝熱になる電気の光子の円周÷1公転の自転数＝4.636×10−7ｍ×3.14÷(7.96×107回)＝1.829×10−14ｍ
1個の熱粒子の軌道エネルギーは、
1個の熱粒子の軌道エネルギー＝1個の熱粒子のエネルギー×1個の熱粒子の軌道＝ 3.341×10−43J×1.829×10−14ｍ＝6.111×10−57Jm
これは、自転軌道エネルギーです。
・地下1000Ｋｍでは、温度は1000℃である。この場のAは、31.62です。
温度1℃で、熱になる電気の光子の軌道は、2.073×10−5ｍです。
A=70.71では、熱になる電気の光子の軌道は、2.073×10−5ｍ÷31.62＝6.556×10−7ｍです。
1秒間にできる電気の光子の熱エネルギーは、
1秒間にできる電気の光子の熱エネルギー＝1公転で作る電気の光子の熱エネルギー×1秒間の公転数＝1.233×10−41Jm÷(6.556×10−7ｍ)×(7.96×107)2＝1.192×10−19J
この温度は、1.192×10−19J÷(3.769×10−21J)＝31.63℃
即ち、この場で、熱になる電気の光子の軌道は6.556×10−7ｍです。この電気の光子の軌道は7.96×10７箇所で切れ、このとき、電気の光子のエネルギーが熱エネルギーに変換されます。7.96×10７個の熱粒子ができます。
1個の熱粒子のエネルギーは、
1個の熱粒子のエネルギー＝1公転でできる電気の光子のエネルギー÷1公転の間に切れる箇所＝1.233×10−41Jm÷(6.556×10−7ｍ)÷(7.96×107箇所)＝2.363×10−43J
1秒間にできる熱粒子のエネルギーは、
1秒間にできる熱粒子のエネルギー＝1個の熱粒子のエネルギー×1公転でできた熱粒子数×1秒間の公転数＝2.363×10−43J×7.96×107個×(7.96×107)2＝1.192×10−19J
1個の熱粒子の軌道は、
軌道＝熱になる電気の光子の円周÷1公転の自転数＝6.556×10−7ｍ×3.14÷(7.96×107回)＝2.586×10−14ｍ
1個の熱粒子の軌道エネルギーは、
1個の熱粒子の軌道エネルギー＝1個の熱粒子のエネルギー×1個の熱粒子の軌道＝2.363×10−43J×2.586×10−14ｍ＝6.111×10−57Jm
これは、自転軌道エネルギーです。
【請求項３】
太陽の深さの軌道において、熱になる電気の光子の軌道はいくらか。1秒間にできる電気の光子のエネルギーはいくらか。温度はいくらか。1個の熱粒子のエネルギーはいくらか。1個の熱粒子の軌道はいくらか。1個の熱粒子の軌道エネルギーはいくらか。
太陽の深さでは、圧力が高く、この圧力によって、磁気の光子は小さい軌道で独立しようとする。熱は磁気の光子が小さい軌道で独立しようとし、電気の光子の軌道が約108箇所で切れたときできる。
・太陽の深さ7×105Ｋｍでは、温度は15×106℃である。(15×106℃)1/2=3.873×103℃
この場のAは、3.873×103です。
温度1℃で、熱になる電気の光子の軌道は、2.073×10−5ｍです。
A=3.873×103では、熱になる電気の光子の軌道は、2.073×10−5ｍ÷(3.873×103)＝5.352×10−9ｍです。
1秒間にできる電気の光子の熱エネルギーは、
1秒間にできる電気の光子の熱エネルギー＝1公転で作る電気の光子の熱エネルギー×1秒間の公転数＝1.233×10−41Jm÷(3.873×10−9ｍ)×(7.96×107)2＝1.460×10−17J
この温度は、1.460×10−17J÷(3.769×10−21J)＝3.873×103℃
即ち、この場で、熱になる電気の光子の軌道は3.873×10−9ｍです。この電気の光子の軌道は7.96×10７箇所で切れ、このとき、電気の光子のエネルギーが熱エネルギーに変換されます。7.96×10７個の熱粒子ができます。
1個の熱粒子のエネルギーは、
1個の熱粒子のエネルギー＝1公転でできる電気の光子のエネルギー÷1公転の間に切れる箇所＝1.233×10−41Jm÷(5.352×10−9ｍ)÷(7.96×107箇所)＝2.894×10−41J
1秒間にできる熱粒子のエネルギーは、
1秒間にできる熱粒子のエネルギー＝1個の熱粒子のエネルギー×1公転でできた熱粒子数×1秒間の公転数＝2.894×10−41J×7.96×107個×(7.96×107)2＝1.460×10−17J
1個の熱粒子の軌道は、
軌道＝熱になる電気の光子の円周÷1公転の自転数＝5.352×10−9ｍ×3.14÷(7.96×107回)＝2.111×10−16ｍ。
1個の熱粒子の軌道エネルギーは、
1個の熱粒子の軌道エネルギー＝1個の熱粒子のエネルギー×1個の熱粒子の軌道＝2.894×10−41J×2.111×10−16ｍ＝6.109×10−57Jm
これは、自転軌道エネルギーです。
・太陽の深さ5×105Ｋｍでは、温度は11.7×106℃である。(11.7×106℃)1/2=3.428×103℃
この場のAは、3.428×103です。
温度1℃で、熱になる電気の光子の軌道は、2.073×10−5ｍです。
A=3.428×103では、熱になる電気の光子の軌道は、2.073×10−5ｍ÷(3.428×103)＝6.047×10−9ｍです。
1秒間にできる電気の光子の熱エネルギーは、
1秒間にできる電気の光子の熱エネルギー＝1公転で作る電気の光子の熱エネルギー×1秒間の公転数＝1.233×10−41Jm÷(6.047×10−9ｍ)×(7.96×107)2＝1.292×10−17J
この温度は、1.292×10−17J÷(3.769×10−21J)＝3.428×103℃
即ち、この場で、熱になる電気の光子の軌道は3.873×10−9ｍです。この電気の光子の軌道は7.96×10７箇所で切れ、このとき、電気の光子のエネルギーが熱エネルギーに変換されます。7.96×10７個の熱粒子ができます。
1個の熱粒子のエネルギーは、
1個の熱粒子のエネルギー＝1公転でできる電気の光子のエネルギー÷1公転の間に切れる箇所＝1.233×10−41Jm÷(6.047×10−9ｍ)÷(7.96×107箇所)＝2.562×10−41J
1秒間にできる熱粒子のエネルギーは、
1秒間にできる熱粒子のエネルギー＝1個の熱粒子のエネルギー×1公転でできた熱粒子数×1秒間の公転数＝2.562×10−41J×7.96×107個×(7.96×107)2＝1.292×10−17J
1個の熱粒子の軌道は、
軌道＝熱になる電気の光子の円周÷1公転の自転数＝6.047×10−9ｍ×3.14÷(7.96×107回)＝2.385×10−16ｍ
1個の熱粒子の軌道エネルギーは、
1個の熱粒子の軌道エネルギー＝1個の熱粒子のエネルギー×1個の熱粒子の軌道＝2.562×10−41J×2.385×10−16ｍ＝6.110×10−57Jm
これは、自転軌道エネルギーです。
・太陽の深さ4×105Ｋｍでは、温度は8.5×106℃である。(8.5×106℃)1/2=2.915×103℃
この場のAは、2.915×103です。
温度1℃で、熱になる電気の光子の軌道は、2.073×10−5ｍです。
A=2.915×103では、熱になる電気の光子の軌道は、2.073×10−5ｍ÷(2.915×103)＝7.111×10−9ｍです。
1秒間にできる電気の光子の熱エネルギーは、
1秒間にできる電気の光子の熱エネルギー＝1公転で作る電気の光子の熱エネルギー×1秒間の公転数＝1.233×10−41Jm÷(7.111×10−9ｍ)×(7.96×107)2＝1.099×10−17J
この温度は、1.099×10−17J÷(3.769×10−21J)＝2.916×103℃
即ち、この場で、熱になる電気の光子の軌道は7.111×10−9ｍです。この電気の光子の軌道は7.96×10７箇所で切れ、このとき、電気の光子のエネルギーが熱エネルギーに変換されます。7.96×10７個の熱粒子ができます。
1個の熱粒子のエネルギーは、
1個の熱粒子のエネルギー＝1公転でできる電気の光子のエネルギー÷1公転の間に切れる箇所＝1.233×10−41Jm÷(7.111×10−9ｍ)÷(7.96×107箇所)＝2.178×10−41J
1秒間にできる熱粒子のエネルギーは、
1秒間にできる熱粒子のエネルギー＝1個の熱粒子のエネルギー×1公転でできた熱粒子数×1秒間の公転数＝2.178×10−41J×7.96×107個×(7.96×107)2＝1.098×10−17J
1個の熱粒子の軌道は、
軌道＝熱になる電気の光子の円周÷1公転の自転数＝7.111×10−9ｍ×3.14÷(7.96×107回)＝2.805×10−16ｍ
1個の熱粒子の軌道エネルギーは、
1個の熱粒子の軌道エネルギー＝1個の熱粒子のエネルギー×1個の熱粒子の軌道＝2.178×10−41J×2.805×10−16ｍ＝6.109×10−57Jm
これは、自転軌道エネルギーです。
・太陽の深さ3×105Ｋｍでは、温度は5.25×106℃である。(5.25×106℃)1/2=2.291×103℃
この場のAは、2.291×103です。
温度1℃で、熱になる電気の光子の軌道は、2.073×10−5ｍです。
A=2.291×103では、熱になる電気の光子の軌道は、2.073×10−5ｍ÷(2.291×103)＝9.048×10−9ｍです。
1秒間にできる電気の光子の熱エネルギーは、
1秒間にできる電気の光子の熱エネルギー＝1公転で作る電気の光子の熱エネルギー×1秒間の公転数＝1.233×10−41Jm÷(9.048×10−9ｍ)×(7.96×107)2＝8.634×10−18J
この温度は、8.634×10−18J÷(3.769×10−21J)＝2.291×103℃
即ち、この場で、熱になる電気の光子の軌道は9.048×10−9ｍです。この電気の光子の軌道は7.96×10７箇所で切れ、このとき、電気の光子のエネルギーが熱エネルギーに変換されます。7.96×10７個の熱粒子ができます。
1個の熱粒子のエネルギーは、
1個の熱粒子のエネルギー＝1公転でできる電気の光子のエネルギー÷1公転の間に切れる箇所＝1.233×10−41Jm÷(9.048×10−9ｍ)÷(7.96×107箇所)＝1.712×10−41J
1秒間にできる熱粒子のエネルギーは、
1秒間にできる熱粒子のエネルギー＝1個の熱粒子のエネルギー×1公転でできた熱粒子数×1秒間の公転数＝1.712×10−41J×7.96×107個×(7.96×107)2＝8.635×10−18J
1個の熱粒子の軌道は、
軌道＝熱になる電気の光子の円周÷1公転の自転数＝9.048×10−9ｍ×3.14÷(7.96×107回)＝3.569×10−16ｍ
1個の熱粒子の軌道エネルギーは、
1個の熱粒子の軌道エネルギー＝1個の熱粒子のエネルギー×1個の熱粒子の軌道＝1.712×10−41J×3.569×10−16ｍ＝6.110×10−57Jm
これは、自転軌道エネルギーです。
・太陽の深さ2×105Ｋｍでは、温度は2×106℃である。(2×106℃)1/2=1.414×103℃
この場のAは、1.414×103です。
温度1℃で、熱になる電気の光子の軌道は、2.073×10−5ｍです。
A=1.414×103では、熱になる電気の光子の軌道は、2.073×10−5ｍ÷(1.414×103)＝1.466×10−8ｍです。
1秒間にできる電気の光子の熱エネルギーは、
1秒間にできる電気の光子の熱エネルギー＝1公転で作る電気の光子の熱エネルギー×1秒間の公転数＝1.233×10−41Jm÷(1.466×10−8ｍ)×(7.96×107)2＝5.329×10−18J
この温度は、5.329×10−18J÷(3.769×10−21J)＝1.414×103℃
即ち、この場で、熱になる電気の光子の軌道は1.466×10−8ｍです。この電気の光子の軌道は7.96×10７箇所で切れ、このとき、電気の光子のエネルギーが熱エネルギーに変換されます。7.96×10７個の熱粒子ができます。
1個の熱粒子のエネルギーは、
1個の熱粒子のエネルギー＝1公転でできる電気の光子のエネルギー÷1公転の間に切れる箇所＝1.233×10−41Jm÷(1.466×10−8ｍ)÷(7.96×107箇所)＝1.057×10−41J
1秒間にできる熱粒子のエネルギーは、
1秒間にできる熱粒子のエネルギー＝1個の熱粒子のエネルギー×1公転でできた熱粒子数×1秒間の公転数＝1.057×10−41J×7.96×107個×(7.96×107)2＝5.331×10−18J
1個の熱粒子の軌道は、
軌道＝熱になる電気の光子の円周÷1公転の自転数＝1.466×10−8ｍ×3.14÷(7.96×107回)＝5.783×10−16ｍ
1個の熱粒子の軌道エネルギーは、
1個の熱粒子の軌道エネルギー＝1個の熱粒子のエネルギー×1個の熱粒子の軌道＝1.057×10−41J×5.783×10−16ｍ＝6.113×10−57Jm
これは、自転軌道エネルギーです。
・太陽の深さ105Ｋｍでは、温度は106℃である。(106℃)1/2=103℃
この場のAは、103です。
温度1℃で、熱になる電気の光子の軌道は、2.073×10−5ｍです。
A=103では、熱になる電気の光子の軌道は、2.073×10−5ｍ÷103＝2.073×10−8ｍです。
1秒間にできる電気の光子の熱エネルギーは、
1秒間にできる電気の光子の熱エネルギー＝1公転で作る電気の光子の熱エネルギー×1秒間の公転数＝1.233×10−41Jm÷(2.073×10−8ｍ)×(7.96×107)2＝3.769×10−18J
この温度は、3.769×10−18J÷(3.769×10−21J)＝103℃
即ち、この場で、熱になる電気の光子の軌道は2.073×10−8ｍです。この電気の光子の軌道は7.96×10７箇所で切れ、このとき、電気の光子のエネルギーが熱エネルギーに変換されます。7.96×10７個の熱粒子ができます。
1個の熱粒子のエネルギーは、
1個の熱粒子のエネルギー＝1公転でできる電気の光子のエネルギー÷1公転の間に切れる箇所＝1.233×10−41Jm÷(2.073×10−8ｍ)÷(7.96×107箇所)＝7.472×10−42J
1秒間にできる熱粒子のエネルギーは、
1秒間にできる熱粒子のエネルギー＝1個の熱粒子のエネルギー×1公転でできた熱粒子数×1秒間の公転数＝7.472×10−42J×7.96×107個×(7.96×107)2＝3.769×10−18J
1個の熱粒子の軌道は、
軌道＝熱になる電気の光子の円周÷1公転の自転数＝2.073×10−8ｍ×3.14÷(7.96×107回)＝8.177×10−16ｍ
1個の熱粒子の軌道エネルギーは、
1個の熱粒子の軌道エネルギー＝1個の熱粒子のエネルギー×1個の熱粒子の軌道＝7.472×10−42J×8.177×10−16ｍ＝6.110×10−57Jm
これは、自転軌道エネルギーです。
・太陽の深さ104Ｋｍでは、温度は105℃である。(105℃)1/2=3.162×102℃
この場のAは、3.162×102です。
温度1℃で、熱になる電気の光子の軌道は、2.073×10−5ｍです。
A=3.162×102では、熱になる電気の光子の軌道は、2.073×10−5ｍ÷(3.162×102)＝6.556×10−8ｍです。
1秒間にできる電気の光子の熱エネルギーは、
1秒間にできる電気の光子の熱エネルギー＝1公転で作る電気の光子の熱エネルギー×1秒間の公転数＝1.233×10−41Jm÷(6.556×10−8ｍ)×(7.96×107)2＝1.192×10−18J
この温度は、1.192×10−18J÷(3.769×10−21J)＝3.163×102℃
即ち、この場で、熱になる電気の光子の軌道は6.556×10−8ｍです。この電気の光子の軌道は7.96×10７箇所で切れ、このとき、電気の光子のエネルギーが熱エネルギーに変換されます。7.96×10７個の熱粒子ができます。
1個の熱粒子のエネルギーは、
1個の熱粒子のエネルギー＝1公転でできる電気の光子のエネルギー÷1公転の間に切れる箇所＝1.233×10−41Jm÷(6.556×10−8ｍ)÷(7.96×107箇所)＝2.363×10−42J
1秒間にできる熱粒子のエネルギーは、
1秒間にできる熱粒子のエネルギー＝1個の熱粒子のエネルギー×1公転でできた熱粒子数×1秒間の公転数＝2.363×10−42J×7.96×107個×(7.96×107)2＝1.192×10−18J
1個の熱粒子の軌道は、
軌道＝熱になる電気の光子の円周÷1公転の自転数＝6.556×10−8ｍ×3.14÷(7.96×107回)＝2.586×10−15ｍ
1個の熱粒子の軌道エネルギーは、
1個の熱粒子の軌道エネルギー＝1個の熱粒子のエネルギー×1個の熱粒子の軌道＝2.363×10−42J×2.586×10−15ｍ＝6.111×10−57Jm
これは、自転軌道エネルギーです。
・太陽の深さ103Ｋｍでは、温度は104℃である。(104℃)1/2=102℃
この場のAは、102です。
温度1℃で、熱になる電気の光子の軌道は、2.073×10−5ｍです。
A=102では、熱になる電気の光子の軌道は、2.073×10−5ｍ÷102＝2.073×10−7ｍです。
1秒間にできる電気の光子の熱エネルギーは、
1秒間にできる電気の光子の熱エネルギー＝1公転で作る電気の光子の熱エネルギー×1秒間の公転数＝1.233×10−41Jm÷(2.073×10−7ｍ)×(7.96×107)2＝3.769×10−19J
この温度は、3.769×10−19J÷(3.769×10−21J)＝102℃
即ち、この場で、熱になる電気の光子の軌道は2.073×10−7ｍです。この電気の光子の軌道は7.96×10７箇所で切れ、このとき、電気の光子のエネルギーが熱エネルギーに変換されます。7.96×10７個の熱粒子ができます。
1個の熱粒子のエネルギーは、
1個の熱粒子のエネルギー＝1公転でできる電気の光子のエネルギー÷1公転の間に切れる箇所＝1.233×10−41Jm÷(2.073×10−7ｍ)÷(7.96×107箇所)＝7.472×10−43J
1秒間にできる熱粒子のエネルギーは、
1秒間にできる熱粒子のエネルギー＝1個の熱粒子のエネルギー×1公転でできた熱粒子数×1秒間の公転数＝7.472×10−43J×7.96×107個×(7.96×107)2＝3.769×10−19J
1個の熱粒子の軌道は、
軌道＝熱になる電気の光子の円周÷1公転の自転数＝2.073×10−7ｍ×3.14÷(7.96×107回)＝8.177×10−15ｍ
1個の熱粒子の軌道エネルギーは、
1個の熱粒子の軌道エネルギー＝1個の熱粒子のエネルギー×1個の熱粒子の軌道＝7.472×10−43J×8.177×10−15ｍ＝6.110×10−57Jm
これは、自転軌道エネルギーです。
・太陽の深さ4×102Ｋｍでは、温度は6.4×103℃である。(6.4×103℃)1/2=80℃
この場のAは、80です。
温度1℃で、熱になる電気の光子の軌道は、2.073×10−5ｍです。
A=80では、熱になる電気の光子の軌道は、2.073×10−5ｍ÷80＝2.591×10−7ｍです。
1秒間にできる電気の光子の熱エネルギーは、
1秒間にできる電気の光子の熱エネルギー＝1公転で作る電気の光子の熱エネルギー×1秒間の公転数＝1.233×10−41Jm÷(2.591×10−7ｍ)×(7.96×107)2＝3.015×10−19J
この温度は、3.015×10−19J÷(3.769×10−21J)＝7.999×10℃
即ち、この場で、熱になる電気の光子の軌道は2.591×10−7ｍです。この電気の光子の軌道は7.96×10７箇所で切れ、このとき、電気の光子のエネルギーが熱エネルギーに変換されます。7.96×10７個の熱粒子ができます。
1個の熱粒子のエネルギーは、
1個の熱粒子のエネルギー＝1公転でできる電気の光子のエネルギー÷1公転の間に切れる箇所＝1.233×10−41Jm÷(2.591×10−7ｍ)÷(7.96×107箇所)＝5.978×10−43J
1秒間にできる熱粒子のエネルギーは、
1秒間にできる熱粒子のエネルギー＝1個の熱粒子のエネルギー×1公転でできた熱粒子数×1秒間の公転数＝5.978×10−43J×7.96×107個×(7.96×107)2＝3.015×10−19J
1個の熱粒子の軌道は、
軌道＝熱になる電気の光子の円周÷1公転の自転数＝2.591×10−7ｍ×3.14÷(7.96×107回)＝1.022×10−14ｍ
1個の熱粒子の軌道エネルギーは、
1個の熱粒子の軌道エネルギー＝1個の熱粒子のエネルギー×1個の熱粒子の軌道＝5.978×10−43J×1.022×10−14ｍ＝6.110×10−57Jm
これは、自転軌道エネルギーです。
・太陽の深さ1Ｋｍでは、温度は4.3×103℃である。(4.3×103℃)1/2=65.574℃
この場のAは、65.574です。
温度1℃で、熱になる電気の光子の軌道は、2.073×10−5ｍです。
A=65.574では、熱になる電気の光子の軌道は、2.073×10−5ｍ÷65.574＝3.161×10−7ｍです。
1秒間にできる電気の光子の熱エネルギーは、
1秒間にできる電気の光子の熱エネルギー＝1公転で作る電気の光子の熱エネルギー×1秒間の公転数＝1.233×10−41Jm÷(3.161×10−7ｍ)×(7.96×107)2＝2.472×10−19J
この温度は、2.472×10−19J÷(3.769×10−21J)＝6.559×10℃
即ち、この場で、熱になる電気の光子の軌道は3.161×10−7ｍです。この電気の光子の軌道は7.96×10７箇所で切れ、このとき、電気の光子のエネルギーが熱エネルギーに変換されます。7.96×10７個の熱粒子ができます。
1個の熱粒子のエネルギーは、
1個の熱粒子のエネルギー＝1公転でできる電気の光子のエネルギー÷1公転の間に切れる箇所＝1.233×10−41Jm÷(3.161×10−7ｍ)÷(7.96×107箇所)＝4.900×10−43J
1秒間にできる熱粒子のエネルギーは、
1秒間にできる熱粒子のエネルギー＝1個の熱粒子のエネルギー×1公転でできた熱粒子数×1秒間の公転数＝4.900×10−43J×7.96×107個×(7.96×107)2＝2.471×10−19J
1個の熱粒子の軌道は、
軌道＝熱になる電気の光子の円周÷1公転の自転数＝3.161×10−7ｍ×3.14÷(7.96×107回)＝1.247×10−14ｍ
1個の熱粒子の軌道エネルギーは、
1個の熱粒子の軌道エネルギー＝1個の熱粒子のエネルギー×1個の熱粒子の軌道＝4.900×10−43J×1.247×10−14ｍ＝6.110×10−57Jm
これは、自転軌道エネルギーです。
【請求項４】
万有引力定数とは何か。
万有引力定数から算出する、1原子でできる引力は、1.356×10−32Jmです。
私はこれをただの引力、1原子でできる引力として表現しています。
万有引力定数(＝引力)とは、1秒間にできる磁気の光子のエネルギー×自転軌道、です。
(引力は、1秒間にできる磁気の光子の軌道エネルギーである事は、2008年2月2日に提出した、特願2008−51218．「熱と引力と地球の引力」の「請求項8」に記した。)
今回は、2006年11月15日に提出した、特願2006−336352.「素粒子の軌道質量と引力と熱」に記したデーターを使用する。
1原子でできる引力は、1.356×10−32Jmです。
電子のラブの場合。
電子のラブが1秒間に作る磁気の光子のエネルギーは、
ボーア磁子＝9.274×10−24J/T     
T=7.96×107、ですから、    
電子のラブが1秒間に作る磁気の光子のエネルギー＝ボーア磁子×T=9.274×10−24J/T×7.96×107＝7.382×10−16J
電子のラブが1秒間に作る磁気の光子のエネルギーは、7.382×10−16Jです。
電子のラブの自転軌道は、
電子のラブの自転軌道＝電子のラブの円周÷1公転する時の自転回数＝電子のラブの公転軌道×3.14÷1公転する時の自転回数＝1.058×10−10ｍ×3.14÷(7.96×107回)＝4.174×10−18ｍ
電子のラブの自転軌道は、4.174×10−18ｍです。
それで、
電子のラブが1秒間に作る磁気の光子のエネルギー×自転軌道は、
電子のラブが1秒間に作る磁気の光子のエネルギー×電子のラブの自転軌道＝7.382×10−16J×4.174×10−18ｍ＝3.081×10−33Jm
電子のラブが1秒間に作る磁気の光子のエネルギー×自転軌道は、3.081×10−33Jmです。
この電子のラブが1秒間に作る磁気の光子のエネルギー×自転軌道が引力になっている。
陽子のラブの場合。
陽子のラブが1秒間に作る磁気の光子のエネルギーは、
核磁子＝5.05×10−27J/T      T=7.96×107、ですから、
陽子のラブが1秒間に作る磁気の光子のエネルギー＝核磁子×T=5.05×10−27J×7.96×107＝4.02×10−19J
陽子のラブが1秒間に作る磁気の光子のエネルギーは、4.02×10−19Jです。
陽子のラブの自転軌道は、
陽子のラブの自転軌道＝陽子のラブの公転軌道×3.14÷1公転する時の自転回数＝5.777×10−14ｍ×3.14÷(4.34×104回)＝4.18×10−18ｍ、です。
陽子のラブの自転軌道は、4.18×10−18ｍです。
それで、
陽子のラブが1秒間に作る磁気の光子のエネルギー×自転軌道は、
陽子のラブが1秒間に作る磁気の光子のエネルギー×陽子のラブの自転軌道＝4.02×10−19J×4.18×10−18ｍ＝1.680×10−36Jm
陽子のラブが1秒間に作る磁気の光子のエネルギー×自転軌道は、1.680×10−36Jmです。
よって、原子が1秒間に作る磁気の光子のエネルギー×自転軌道は、電子のラブが作っているとみなす事ができる。
１原子でできる引力は、電子のラブが1秒間に作る磁気の光子のエネルギー×自転軌道、です。
1原子でできる引力は、1.356×10−32Jです。
私の計算による、1原子でできる引力は、電子のラブが1秒間に作る磁気の光子のエネルギー×自転軌道であり、3.081×10−33Jmです。
1原子でできる引力は、私の計算による1原子でできる引力の、
1.356×10−32Jｍ÷(3.081×10−33Jm)＝4.401(倍)です。
しかし、
引力の単位は、Jmであり、引力は磁気の光子でできる物ですから、引力は磁気の光子の軌道エネルギーです。
磁気の光子は電子のラブの自転によってできた物ですから、自転軌道エネルギーです。
電気の光子は、熱になるとき、約108箇所で切れ、磁気の光子が独立します。
磁気の光子は独立し、自転軌道エネルギー体になります。
この磁気の光子の1秒間にできるエネルギー×自転軌道体が引力になります。
それで、磁気の光子が独立する時、軌道を4.4倍にすると考えます。
その事によって、
磁気の光子の自転軌道は、4.174×10−18ｍ×4.4＝1.837×10−17ｍに成ります。
引力＝1原子が1秒間に作る磁気の光子のエネルギー×独立した磁気の光子の自転軌道＝7.382×10−16J×1.837×10−17ｍ＝1.356×10−32Jｍ
【請求項５】
高エネルギーの場において、電子のラブが1秒間に作る磁気の光子のエネルギー×自転軌道の値はどのようになるか。引力は質量でできると考えられる理由について。
地表において、電子のラブの公転軌道は、1.058×10−10ｍです。
電子のラブの自転軌道は、4.175×10−18ｍです。
電子のラブが1公転で作る磁気の光子7.96×107個のエネルギーは、1.165×10−31J、です。
電子のラブが1秒間に作る磁気の光子のエネルギーは、7.382×10−16J、です。
それで、Aの場(地表のA倍のエネルギーの場)において、
電子のラブの公転軌道は、1.058×10−10ｍ÷A、です。
電子のラブの自転軌道は、4.175×10−18ｍ÷A、です。
電子のラブが1公転で作る磁気の光子7.96×107個のエネルギーは、1.165×10−31J×A、です。
電子のラブが1秒間に作る磁気の光子のエネルギーは、7.382×10−16J×A、です。
高エネルギーの場において、
電子のラブが1秒間に作る磁気の光子のエネルギー×自転軌道＝7.382×10−16J×A×4.175×10−18ｍ÷A＝7.382×10−16J×4.175×10−18ｍ＝3.082×10−33J、です。
この事によって理解できる事。
1.高エネルギーの場において(低エネルギーの場においても)、引力である、電子のラブが1秒間に作る磁気の光子のエネルギー×自転軌道＝3.082×10−33J、である。
2. 私が計算して求めた電子のラブが1秒間に作る磁気の光子のエネルギー×自転軌道＝3.082×10−33Jを1.356×10−32Jmとみなす。
3.磁気の光子が独立する時、軌道を4.4倍にする、と考えると、独立した磁気の光子の自転軌道は、自転軌道×4.4となる。それで、独立した磁気の光子の自転軌道×1秒間にできる磁気の光子のエネルギー＝7.382×10−16J×A×4.175×10−18ｍ×4.4÷A＝7.382×10−16J×4.175×10−18ｍ×4.4＝3.082×10−33J×4.4＝1.356×10−32Jm、となる。
3.引力はどのようなエネルギーの場でも変わらない。1原子でできる引力は、どのような高エネルギーの場においても、低エネルギーの場においても、1.356×10−32Jｍである。
4.即ち、1原子が作る引力はどのようなエネルギーの場においても、1.356×10−32Jｍである。１Kgでできる引力はどのようなエネルギーの場においても、(6.672×10−11Jm)1/2=8.168×10−6Jm、である。
【請求項６】
地球の中において、熱になる電気の光子の軌道はいくらか。自転軌道はいくらか。磁気の光子が独立後の自転軌道はいくらか。1秒間にできる磁気の光子のエネルギーはいくらか。引力はいくらか。磁気の光子1個のエネルギーはいくらか。引力になる磁気の光子の自転軌道エネルギーはいくらか。
引力は、磁気の光子が1個1個独立したとき、できる、1原子で1秒間にできた磁気の光子のエネルギー×独立した磁気の光子の自転軌道＝1原子で1秒間にできた磁気の光子のエネルギー×磁気の光子の自転軌道×4.4、です。
・地下6500Ｋｍでは、温度は7600K＝7327℃である。この場のAは、85.6です。
A=85.6では、熱になる電気の光子の軌道は、2.073×10−5ｍ÷85.6＝2.422×10−7ｍです。
自転軌道＝熱になる電気の光子の円周÷1公転の自転数＝2.422×10−7ｍ×3.14÷(7.96×107回)＝9.554×10−15ｍ。
独立した磁気の光子の自転軌道＝自転軌道×4.4＝9.554×10−15ｍ×4.4＝4.204×10−14ｍ。
1秒間にできる磁気の光子のエネルギー＝1秒間にできる電気の光子の熱エネルギー＝3.226×10−19J
よって、この場の引力＝1秒間にできる磁気の光子のエネルギー×独立した磁気の光子の自転軌道＝3.226×10−19J×4.204×10−14ｍ＝1.356×10−32Jm。  
磁気の光子1個のエネルギー＝1個の熱粒子のエネルギー＝6.396×10−43J
独立した磁気の光子の自転軌道＝4.204×10−14ｍ
引力になる1個の磁気の光子の自転軌道エネルギー＝6.396×10−43J×4.204×10−14ｍ＝2.689×10−56Jm
この値は、2006年11月15日に提出した、特願2006−336352.のデーターである、電子のラブが1自転して作る磁気の光子1個の自転軌道エネルギー、6.112×10−57Jmの、
2.689×10−56Jm÷(6.112×10−57Jm)＝4.4倍です。
これは、独立後の磁気の光子の自転軌道を自転軌道の4.4倍にしたためです。
・地下6000Ｋｍでは、温度は6000℃である。この場のAは、77.46です。
温度1℃で、熱になる電気の光子の軌道は、2.073×10−5ｍです。
A=77.46では、熱になる電気の光子の軌道は、2.073×10−5ｍ÷77.46＝2.676×10−7ｍです。
自転軌道＝熱になる電気の光子の円周÷1公転の自転数＝2.676×10−7ｍ×3.14÷(7.96×107回)＝1.056×10−14ｍ。
独立した磁気の光子の自転軌道＝自転軌道×4.4＝1.056×10−15ｍ×4.4＝4.646×10−14ｍ。
1秒間にできる磁気の光子のエネルギー＝1秒間にできる電気の光子の熱エネルギー＝2.919×10−19J 
よって、この場の引力＝1秒間にできる磁気の光子のエネルギー×独立した磁気の光子の自転軌道＝2.919×10−19J×4.646×10−14ｍ＝1.356×10−32Jm。
磁気の光子1個のエネルギー＝1個の熱粒子のエネルギー＝5.788×10−43J
独立した磁気の光子の自転軌道＝4.646×10−14ｍ
引力になる1個の磁気の光子の自転軌道エネルギー＝5.788×10−43J×4.646×10−14ｍ＝2.689×10−56Jm
この値は、自転軌道エネルギー、6.112×10−57Jmの4.4倍です。
・地下5000Ｋｍでは、温度は5000℃である。この場のAは、70.71です。
温度1℃で、熱になる電気の光子の軌道は、2.073×10−5ｍです。
A=70.71では、熱になる電気の光子の軌道は、2.073×10−5ｍ÷70.71＝2.932×10−7ｍです。
自転軌道＝熱になる電気の光子の円周÷1公転の自転数＝2.932×10−7ｍ×3.14÷(7.96×107回)＝1.157×10−14ｍ
独立した磁気の光子の自転軌道＝自転軌道×4.4＝1.157×10−15ｍ×4.4＝5.089×10−14ｍ。
1秒間にできる磁気の光子のエネルギー＝1秒間にできる電気の光子のエネルギー＝2.665×10−19J 
よって、この場の引力＝1秒間にできる磁気の光子のエネルギー×独立した磁気の光子の自転軌道＝2.665×10−19J×5.089×10−14ｍ＝1.356×10−32Jm。
磁気の光子1個のエネルギー＝1個の熱粒子のエネルギー＝5.283×10−43J
独立した磁気の光子の自転軌道＝5.089×10−14ｍ
引力になる磁気の光子の自転軌道エネルギー＝5.283×10−43J×5.089×10−14ｍ＝2.689×10−56Jｍ
この値は、自転軌道エネルギー、6.112×10−57Jmの4.4倍です。
・地下4000Ｋｍでは、温度は4000℃である。この場のAは、63.25です。
温度1℃で、熱になる電気の光子の軌道は、2.073×10−5ｍです。
A=70.71では、熱になる電気の光子の軌道は、2.073×10−5ｍ÷63.25＝3.277×10−7ｍです。
自転軌道＝熱になる電気の光子の円周÷1公転の自転数＝3.277×10−7ｍ×3.14÷(7.96×107回)＝1.293×10−14ｍ
独立した磁気の光子の自転軌道＝自転軌道×4.4＝1.293×10−15ｍ×4.4＝5.688×10−14ｍ。
1秒間にできる磁気の光子のエネルギー＝1秒間にできる電気の光子の熱エネルギー＝2.384×10−19J 
よって、この場の引力＝1秒間にできる磁気の光子のエネルギー×独立した磁気の光子の自転軌道＝2.384×10−19J×5.688×10−14ｍ＝1.356×10−32Jm。
磁気の光子1個のエネルギー＝1個の熱粒子のエネルギー＝4.727×10−43J
独立した磁気の光子の自転軌道＝5.688×10−14ｍ
引力になる1個の磁気の光子の自転軌道エネルギー＝4.727×10−43J×5.688×10−14ｍ＝2.689×10−56Jｍ
この値は、自転軌道エネルギー、6.112×10−57Jmの4.4倍です。
・地下3000Ｋｍでは、温度は3000℃である。この場のAは、54.77です。
温度1℃で、熱になる電気の光子の軌道は、2.073×10−5ｍです。
A=70.71では、熱になる電気の光子の軌道は、2.073×10−5ｍ÷54.77＝3.785×10−7ｍです。
自転軌道＝熱になる電気の光子の円周÷1公転の自転数＝3.785×10−7ｍ×3.14÷(7.96×107回)＝1.493×10−14ｍ
独立した磁気の光子の自転軌道＝自転軌道×4.4＝1.493×10−14ｍ×4.4＝6.570×10−14ｍ。
1秒間にできる磁気の光子のエネルギー＝1秒間にできる電気の光子の熱エネルギー＝2.064×10−19J 
よって、この場の引力＝1秒間にできる磁気の光子のエネルギー×独立した磁気の光子の自転軌道＝2.064×10−19J×6.570×10−14ｍ＝1.356×10−32Jm。
磁気の光子1個のエネルギー＝1個の熱粒子のエネルギー＝4.092×10−43J
独立した磁気の光子の自転軌道＝6.570×10−14ｍ
引力になる1個の磁気の光子の自転軌道エネルギー＝4.092×10−43J×6.570×10−14ｍ＝2.688×10−56Jｍ
この値は、自転軌道エネルギー、6.112×10−57Jmの4.4倍です。
・地下2000Ｋｍでは、温度は2000℃である。この場のAは、44.72です。
温度1℃で、熱になる電気の光子の軌道は、2.073×10−5ｍです。
A=70.71では、熱になる電気の光子の軌道は、2.073×10−5ｍ÷44.72＝4.636×10−7ｍです。
自転軌道＝熱になる電気の光子の円周÷1公転の自転数＝4.636×10−7ｍ×3.14÷(7.96×107回)＝1.829×10−14ｍ。
独立した磁気の光子の自転軌道＝自転軌道×4.4＝1.829×10−14ｍ×4.4＝8.047×10−14ｍ。
1秒間にできる磁気の光子のエネルギー＝1秒間にできる電気の光子の熱エネルギー＝1.685×10−19J 
よって、この場の引力＝1秒間にできる磁気の光子のエネルギー×独立した磁気の光子の自転軌道＝1.685×10−19J×8.047×10−14ｍ＝1.356×10−32Jm。
磁気の光子1個のエネルギー＝1個の熱粒子のエネルギー＝3.341×10−43J
独立した磁気の光子の自転軌道＝8.047×10−14ｍ
引力になる1個の磁気の光子の自転軌道エネルギー＝3.341×10−43J×8.047×10−14ｍ＝2.689×10−56Jｍ
この値は、自転軌道エネルギー、6.112×10−57Jmの4.4倍です。
・地下1000Ｋｍでは、温度は1000℃である。この場のAは、31.62です。
温度1℃で、熱になる電気の光子の軌道は、2.073×10−5ｍです。
A=70.71では、熱になる電気の光子の軌道は、2.073×10−5ｍ÷31.62＝6.556×10−7ｍです。
自転軌道＝熱になる電気の光子の円周÷1公転の自転数＝6.556×10−7ｍ×3.14÷(7.96×107回)＝2.586×10−14ｍ
独立した磁気の光子の自転軌道＝自転軌道×4.4＝2.586×10−14ｍ×4.4＝1.138×10−13ｍ。
1秒間にできる磁気の光子のエネルギー＝1秒間にできる電気の光子の熱エネルギー＝1.192×10−19J 
よって、この場の引力＝1秒間にできる磁気の光子のエネルギー×独立した磁気の光子の自転軌道＝1.192×10−19J×1.138×10−13ｍ＝1.356×10−32Jm。
磁気の光子1個のエネルギー＝1個の熱粒子のエネルギー＝2.363×10−43J
独立した磁気の光子の自転軌道＝1.138×10−13ｍ
引力になる1個の磁気の光子の自転軌道エネルギー＝2.363×10−43J×1.138×10−13ｍ＝2.689×10−56Jｍ
この値は、自転軌道エネルギー、6.112×10−57Jmの4.4倍です。
【請求項７】
太陽の深さにおいて、熱になる電気の光子の軌道はいくらか。自転軌道はいくらか。独立した磁気の光子の自転軌道はいくらか。1秒間にできる磁気の光子のエネルギーはいくらか。引力はいくらか。磁気の光子1個のエネルギーはいくらか。引力になる磁気の光子の自転軌道エネルギーはいくらか。
引力は、磁気の光子が1個1個独立したとき、できる、1秒間にできた磁気の光子のエネルギー×独立した磁気の光子の自転軌道＝1秒間にできた磁気の光子のエネルギー×磁気の光子の自転軌道×4.4、です。
・太陽の深さ7×105Ｋｍでは、温度は15×106℃である。(15×106℃)1/2=3.873×103℃
この場のAは、3.873×103です。
温度1℃で、熱になる電気の光子の軌道は、2.073×10−5ｍです。
A=3.873×103では、熱になる電気の光子の軌道は、2.073×10−5ｍ÷(3.873×103)＝5.352×10−9ｍです。
自転軌道＝熱になる電気の光子の円周÷1公転の自転数＝5.352×10−9ｍ×3.14÷(7.96×107回)＝2.111×10−16ｍ。
独立した磁気の光子の自転軌道＝自転軌道×4.4＝2.111×10−16ｍ×4.4＝9.288×10−16ｍ。
1秒間にできる磁気の光子のエネルギー＝1秒間にできる電気の光子の熱エネルギー＝1.460×10−17J 
よって、この場の引力＝1秒間にできる磁気の光子のエネルギー×独立した磁気の光子の自転軌道＝1.460×10−17J×9.288×10−16ｍ＝1.356×10−32Jm。
磁気の光子1個のエネルギー＝1個の熱粒子のエネルギー＝2.894×10−41J
独立した磁気の光子の自転軌道＝9.288×10−16ｍ
引力になる1個の磁気の光子の自転軌道エネルギー＝2.894×10−41J×9.288×10−16ｍ＝2.688×10−56Jｍ
この値は、自転軌道エネルギー、6.112×10−57Jmの4.4倍です。
・太陽の深さ5×105Ｋｍでは、温度は11.7×106℃である。(11.7×106℃)1/2=3.428×103℃
この場のAは、3.428×103です。
温度1℃で、熱になる電気の光子の軌道は、2.073×10−5ｍです。
A=3.428×103では、熱になる電気の光子の軌道は、2.073×10−5ｍ÷(3.428×103)＝6.047×10−9ｍです。
自転軌道＝熱になる電気の光子の円周÷1公転の自転数＝6.047×10−9ｍ×3.14÷(7.96×107回)＝2.385×10−16ｍ
独立した磁気の光子の自転軌道＝自転軌道×4.4＝2.385×10−16ｍ×4.4＝1.049×10−15ｍ。
1秒間にできる磁気の光子のエネルギー＝1秒間にできる電気の光子の熱エネルギー＝ 1.292×10−17J
よって、この場の引力＝1秒間にできる磁気の光子のエネルギー×独立した磁気の光子の自転軌道＝1.292×10−17J×1.049×10−15ｍ＝1.355×10−32Jm。
磁気の光子1個のエネルギー＝1個の熱粒子のエネルギー＝2.562×10−41J
独立した磁気の光子の自転軌道＝1.049×10−15ｍ
引力になる1個の磁気の光子の自転軌道エネルギー＝2.562×10−41J×1.049×10−15ｍ＝2.688×10−56Jｍ
この値は、自転軌道エネルギー、6.112×10−57Jmの4.4倍です。
・太陽の深さ4×105Ｋｍでは、温度は8.5×106℃である。(8.5×106℃)1/2=2.915×103℃
この場のAは、2.915×103です。
温度1℃で、熱になる電気の光子の軌道は、2.073×10−5ｍです。
A=2.915×103では、熱になる電気の光子の軌道は、2.073×10−5ｍ÷(2.915×103)＝7.111×10−9ｍです。
自転軌道＝熱になる電気の光子の円周÷1公転の自転数＝7.111×10−9ｍ×3.14÷(7.96×107回)＝2.805×10−16ｍ
独立した磁気の光子の自転軌道＝自転軌道×4.4＝2.805×10−16ｍ×4.4＝1.234×10−15ｍ。
1秒間にできる磁気の光子のエネルギー＝1秒間にできる電気の光子の熱エネルギー＝ 1.099×10−17J 
よって、この場の引力＝1秒間にできる磁気の光子のエネルギー×独立した磁気の光子の自転軌道＝1.099×10−17J×1.234×10−15ｍ＝1.356×10−32Jm。
磁気の光子1個のエネルギー＝1個の熱粒子のエネルギー＝2.178×10−41J
独立した磁気の光子の自転軌道＝1.234×10−15ｍ
引力になる1個の磁気の光子の自転軌道エネルギー＝2.178×10−41J×1.234×10−15ｍ＝2.688×10−56Jｍ
この値は、自転軌道エネルギー、6.112×10−57Jmの4.4倍です。
・太陽の深さ3×105Ｋｍでは、温度は5.25×106℃である。(5.25×106℃)1/2=2.291×103℃
この場のAは、2.291×103です。
温度1℃で、熱になる電気の光子の軌道は、2.073×10−5ｍです。
A=2.291×103では、熱になる電気の光子の軌道は、2.073×10−5ｍ÷(2.291×103)＝9.048×10−9ｍです。
自転軌道＝熱になる電気の光子の円周÷1公転の自転数＝9.048×10−9ｍ×3.14÷(7.96×107回)＝3.569×10−16ｍ
独立した磁気の光子の自転軌道＝自転軌道×4.4＝3.569×10−16ｍ×4.4＝1.570×10−15ｍ。
1秒間にできる磁気の光子のエネルギー＝1秒間にできる電気の光子の熱エネルギー＝ 8.634×10−18J  
よって、この場の引力＝1秒間にできる磁気の光子のエネルギー×独立した磁気の光子の自転軌道＝8.634×10−18J×1.570×10−15ｍ＝1.356×10−32Jm。
磁気の光子1個のエネルギー＝1個の熱粒子のエネルギー＝1.712×10−41J
独立した磁気の光子の自転軌道＝1.570×10−15ｍ
引力になる1個の磁気の光子の自転軌道エネルギー＝1.712×10−41J×1.570×10−15ｍ＝2.688×10−56Jｍ
この値は、自転軌道エネルギー、6.112×10−57Jmの4.4倍です。
・太陽の深さ2×105Ｋｍでは、温度は2×106℃である。(2×106℃)1/2=1.414×103℃
この場のAは、1.414×103です。
温度1℃で、熱になる電気の光子の軌道は、2.073×10−5ｍです。
A=1.414×103では、熱になる電気の光子の軌道は、2.073×10−5ｍ÷(1.414×103)＝1.466×10−8ｍです。
自転軌道＝熱になる電気の光子の円周÷1公転の自転数＝1.466×10−8ｍ×3.14÷(7.96×107回)＝5.783×10−16ｍ。
独立した磁気の光子の自転軌道＝自転軌道×4.4＝5.783×10−16ｍ×4.4＝2.545×10−15ｍ。
1秒間にできる磁気の光子のエネルギー＝1秒間にできる電気の光子の熱エネルギー＝ 5.329×10−18J
よって、この場の引力＝1秒間にできる磁気の光子のエネルギー×独立した磁気の光子の自転軌道＝5.329×10−18J×2.545×10−15ｍ＝1.356×10−32Jm。
磁気の光子1個のエネルギー＝1個の熱粒子のエネルギー＝1.057×10−41J
独立した磁気の光子の自転軌道＝2.545×10−15ｍ
引力になる1個の磁気の光子の自転軌道エネルギー＝1.057×10−41J×2.545×10−15ｍ＝2.690×10−56Jｍ
この値は、自転軌道エネルギー、6.112×10−57Jmの4.4倍です。
・太陽の深さ105Ｋｍでは、温度は106℃である。(106℃)1/2=103℃
この場のAは、103です。
温度1℃で、熱になる電気の光子の軌道は、2.073×10−5ｍです。
A=103では、熱になる電気の光子の軌道は、2.073×10−5ｍ÷103＝2.073×10−8ｍです。
自転軌道＝熱になる電気の光子の円周÷1公転の自転数＝2.073×10−8ｍ×3.14÷(7.96×107回)＝8.177×10−16ｍ
独立した磁気の光子の自転軌道＝自転軌道×4.4＝8.177×10−16ｍ×4.4＝3.598×10−15ｍ。
1秒間にできる磁気の光子のエネルギー＝1秒間にできる電気の光子の熱エネルギー＝3.769×10−18J  
よって、この場の引力＝1秒間にできる磁気の光子のエネルギー×独立した磁気の光子の自転軌道＝3.769×10−18J×3.598×10−15ｍ＝1.356×10−32Jm。
磁気の光子1個のエネルギー＝1個の熱粒子のエネルギー＝7.472×10−42J
独立した磁気の光子の自転軌道＝3.598×10−15ｍ
引力になる1個の磁気の光子の自転軌道エネルギー＝7.472×10−42J×3.598×10−15ｍ＝2.688×10−56Jｍ
この値は、自転軌道エネルギー、6.112×10−57Jmの4.4倍です。
・太陽の深さ104Ｋｍでは、温度は105℃である。(105℃)1/2=3.162×102℃
この場のAは、3.162×102です。
温度1℃で、熱になる電気の光子の軌道は、2.073×10−5ｍです。
A=3.162×102では、熱になる電気の光子の軌道は、2.073×10−5ｍ÷(3.162×102)＝6.556×10−8ｍです。
自転軌道＝熱になる電気の光子の円周÷1公転の自転数＝6.556×10−8ｍ×3.14÷(7.96×107回)＝2.586×10−15ｍ
独立した磁気の光子の自転軌道＝自転軌道×4.4＝2.586×10−15ｍ×4.4＝1.138×10−14ｍ。
1秒間にできる磁気の光子のエネルギー＝1秒間にできる電気の光子の熱エネルギー＝1.192×10−18J   
よって、この場の引力＝1秒間にできる磁気の光子のエネルギー×独立した磁気の光子の自転軌道＝1.192×10−18J×1.138×10−15ｍ＝1.356×10−32Jm。
磁気の光子1個のエネルギー＝1個の熱粒子のエネルギー＝2.363×10−42J 
独立した磁気の光子の自転軌道＝1.138×10−14ｍ
引力になる1個の磁気の光子の自転軌道エネルギー＝2.363×10−42J×1.138×10−14ｍ＝2.689×10−56Jｍ
この値は、自転軌道エネルギー、6.112×10−57Jmの4.4倍です。
・太陽の深さ103Ｋｍでは、温度は104℃である。(104℃)1/2=102℃
この場のAは、102です。
温度1℃で、熱になる電気の光子の軌道は、2.073×10−5ｍです。
A=102では、熱になる電気の光子の軌道は、2.073×10−5ｍ÷102＝2.073×10−7ｍです。
自転軌道＝熱になる電気の光子の円周÷1公転の自転数＝2.073×10−7ｍ×3.14÷(7.96×107回)＝8.177×10−15ｍ
独立した磁気の光子の自転軌道＝自転軌道×4.4＝8.177×10−15ｍ×4.4＝3.598×10−14ｍ。
1秒間にできる磁気の光子のエネルギー＝1秒間にできる電気の光子の熱エネルギー＝3.769×10−19J    
よって、この場の引力＝1秒間にできる磁気の光子のエネルギー×独立した磁気の光子の自転軌道＝3.769×10−19J×3.598×10−14ｍ＝1.356×10−32J
磁気の光子1個のエネルギー＝1個の熱粒子のエネルギー＝7.472×10−43J 
独立した磁気の光子の自転軌道＝3.598×10−14ｍ
引力になる1個の磁気の光子の自転軌道エネルギー＝7.472×10−43J×3.598×10−14ｍ＝2.688×10−56Jｍ
この値は、自転軌道エネルギー、6.112×10−57Jmの4.4倍です。
・太陽の深さ4×102Ｋｍでは、温度は6.4×103℃である。(6.4×103℃)1/2=80℃
この場のAは、80です。
温度1℃で、熱になる電気の光子の軌道は、2.073×10−5ｍです。
A=80では、熱になる電気の光子の軌道は、2.073×10−5ｍ÷80＝2.591×10−7ｍです。
自転軌道＝熱になる電気の光子の円周÷1公転の自転数＝2.591×10−7ｍ×3.14÷(7.96×107回)＝1.022×10−14ｍ
独立した磁気の光子の自転軌道＝自転軌道×4.4＝1.022×10−14ｍ×4.4＝4.497×10−14ｍ。
1秒間にできる磁気の光子のエネルギー＝1秒間にできる電気の光子の熱エネルギー＝3.015×10−19J    
よって、この場の引力＝1秒間にできる磁気の光子のエネルギー×独立した磁気の光子の自転軌道＝3.015×10−19J×4.497×10−14ｍ＝1.356×10−32Jm。
磁気の光子1個のエネルギー＝1個の熱粒子のエネルギー＝ 5.978×10−43J
独立した磁気の光子の自転軌道＝4.497×10−14ｍ
引力になる1個の磁気の光子の自転軌道エネルギー＝5.978×10−43J×4.497×10−14ｍ＝2.688×10−56Jｍ
この値は、自転軌道エネルギー、6.112×10−57Jmの4.4倍です。
・太陽の深さ1Ｋｍでは、温度は4.3×103℃である。(4.3×103℃)1/2=65.574℃
この場のAは、65.574です。
温度1℃で、熱になる電気の光子の軌道は、2.073×10−5ｍです。
A=65.574では、熱になる電気の光子の軌道は、2.073×10−5ｍ÷65.574＝3.161×10−7ｍです。
自転軌道＝熱になる電気の光子の円周÷1公転の自転数＝3.161×10−7ｍ×3.14÷(7.96×107回)＝1.247×10−14ｍ
独立した磁気の光子の自転軌道＝自転軌道×4.4＝1.247×10−14ｍ×4.4＝5.486×10−14ｍ。
1秒間にできる磁気の光子のエネルギー＝1秒間にできる電気の光子の熱エネルギー＝2.472×10−19J    
よって、この場の引力＝1秒間にできる磁気の光子のエネルギー×独立した磁気の光子の自転軌道＝2.472×10−19J×5.486×10−14ｍ＝1.356×10−32Jm。
磁気の光子1個のエネルギー＝1個の熱粒子のエネルギー＝ 4.900×10−43J
独立した磁気の光子の自転軌道＝5.486×10−14ｍ
引力になる1個の磁気の光子の自転軌道エネルギー＝4.900×10−43J×5.486×10−14ｍ＝2.688×10−56Jｍ
この値は、自転軌道エネルギー、6.112×10−57Jmの4.4倍です。
表5
2009207352.tif 000007
表6
2009207352.tif 000008
【請求項８】
どのようなエネルギーの場においても、1個の熱粒子の軌道エネルギーは、6.112×10−57Jmで、一定です。これを一般式で示す。
この場を地表のA倍のエネルギーの場とします。
温度1℃で、熱になる電気の光子の軌道は、2.073×10−5ｍです。
熱になる電気の光子の軌道は、2.073×10−5ｍ÷Aです。
1秒間にできる電気の光子のエネルギーは、
1秒間にできる電気の光子のエネルギー＝1公転で作る電気の光子のエネルギー×1秒間の公転数＝1.233×10−41Jm÷(2.073×10−5ｍ÷A)×(7.96×107)2＝3.769×10−21J×A＝A℃
熱粒子１個のエネルギーは、
熱粒子のエネルギー＝1公転でできる電気の光子のエネルギー÷1公転の間に切れる箇所＝1.233×10−41Jm÷(2.073×10−5ｍ÷A)÷(7.96×107箇所)＝7.472×10−45J×A
熱粒子１個のエネルギー＝1秒間にできる熱粒子のエネルギー÷1秒間の自転数＝1.233×10−41Jm÷(2.073×10−5ｍ÷A)×(7.96×107)2÷(7.96×107)3＝7.472×10−45J×A
熱粒子の軌道は、
軌道＝熱になる電気の光子の円周÷1公転の自転数＝2.073×10−5ｍ÷A×3.14÷(7.96×107回)＝8.177×10−13ｍ÷A
1個の熱粒子の軌道エネルギーは、
1個の熱粒子の軌道エネルギー＝1個の熱粒子のエネルギー×1個の熱粒子の軌道＝7.472×10−45J×A×8.177×10−13ｍ÷A＝6.110×1057Jm
これは、自転軌道エネルギーです。
【請求項９】
どのようなエネルギーの場においても、引力を作る1個の磁気の光子の軌道エネルギーは、2.688×10−56Jmで、一定です。これを一般式で示す。
この場を地表のA倍のエネルギーの場とします。
温度1℃で、熱になる電気の光子の軌道は、2.073×10−5ｍです。
熱になる電気の光子の軌道は、2.073×10−5ｍ÷Aです。
1秒間にできる磁気の光子のエネルギーは、
1秒間にできる磁気の光子のエネルギー＝1公転で作る磁気の光子のエネルギー×1秒間の公転数＝1.233×10−41Jm÷(2.073×10−5ｍ÷A)×(7.96×107)2＝3.769×10−21J×A
磁気の光子1個のエネルギーは、
磁気の光子1個のエネルギー＝1公転でできる磁気の光子のエネルギー÷1公転の自転数＝1.233×10−41Jm÷(2.073×10−5ｍ÷A)÷(7.96×107個)＝7.472×10−45J×A
磁気の光子の自転軌道は、
磁気の光子の自転軌道＝熱になる電気の光子の円周÷1公転の自転数＝2.073×10−5ｍ÷A×3.14÷(7.96×107回)＝8.177×10−13ｍ÷A
独立した磁気の光子の自転軌道＝磁気の光子の自転軌道×4.4＝8.177×10−13ｍ÷A×4.4＝3.598×10−12ｍ÷A
磁気の光子の自転軌道エネルギーは、
引力になる1個の磁気の光子の自転軌道エネルギー＝磁気の光子1個のエネルギー×独立した磁気の光子の自転軌道＝7.472×10−45J×A ×3.598×10−12ｍ÷A＝2.688×10−56Jm
この値は、磁気の光子の自転軌道エネルギーの4.4倍です。これは、磁気の光子が独立した時、軌道を4.4倍に拡大したと考えたためです。
【請求項１０】
宇宙において、熱になる電気の光子の軌道と1秒間にできる電気の光子のエネルギーと温度と熱粒子１個のエネルギーと熱粒子の軌道と熱粒子の軌道エネルギーはどのようになっているのか。
例えば、電子のラブの公転軌道が10−16ｍの場のAはいくらか。
1.058×10−10ｍ÷A=10−16ｍ
A≒10−10ｍ÷10−16ｍ＝106        この場のAは106です。
熱になる電気の光子の軌道は、2.073×10−5ｍ÷A ＝2.073×10−5ｍ÷106＝2.073×10−11ｍ、です。
1秒間にできる電気の光子のエネルギーは、3.769×10−21J×A＝3.769×10−21J×106＝3.769×10−15J＝106℃、です。この場の温度は、1012℃です。
熱粒子１個のエネルギーは、7.472×10−45J×A＝7.472×10−45J×106＝7.472×10−39J、です。
熱粒子の軌道は、8.177×10−13ｍ÷A＝8.177×10−13ｍ÷106＝8.177×10−19ｍ、です。
熱粒子の軌道エネルギーは、7.472×10−45J×A×8.177×10−13ｍ÷A＝6.110×1057Jm、です。
【請求項１１】
宇宙において、引力になる電気の光子の軌道と1秒間にできる磁気の光子のエネルギーと磁気の光子1個のエネルギーと磁気の光子の自転軌道と独立した磁気の光子の自転軌道と引力になる磁気の光子の自転軌道エネルギーはいくらか。
例えば、電子のラブの公転軌道が10−16ｍの場のAはいくらか。
1.058×10−10ｍ÷A=10−16ｍ
A≒10−10ｍ÷10−16ｍ＝106        この場のAは106です。
熱になる電気の光子の軌道は、2.073×10−5ｍ÷A ＝2.073×10−5ｍ÷106＝2.073×10−11ｍ、です。
1秒間にできる磁気の光子のエネルギーは、3.769×10−21J×A＝3.769×10−21J×106＝3.769×10−15J、です。
磁気の光子1個のエネルギーは、7.472×10−45J×A＝7.472×10−45J×106＝7.472×10−39J、です。
磁気の光子の自転軌道は、8.177×10−13ｍ÷A＝8.177×10−13ｍ÷106＝8.177×10−19ｍ、です。
独立した磁気の光子の自転軌道は、3.598×10−12ｍ÷A＝3.598×10−12ｍ÷106＝3.598×10−18ｍ、です。
引力になる磁気の光子の自転軌道エネルギーは、7.472×10−45J×A ×3.598×10−12ｍ÷A＝2.688×10−56Jm、です。
表7
2009207352.tif 000009
a×d＝1.356×10−32Jm＝3.082×10−33Jm ×4.4＝1原子でできる万有引力定数
a×c＝3.082×10−33Jm
b×c＝6.112×10−57Jm＝自転軌道エネルギー
b×d＝2.688×10−56Jm=自転軌道エネルギー×4.4
【請求項１２】
銀河系とアンドロメダ銀河は衝突するか。時代が進むにつれて、銀河と銀河の衝突する可能性はどのようになるか。
(１)引力は磁気の光子のエネルギーによってできると考える場合。
空間が10倍に拡大すると引力はどのようになるか。
空間が10倍に拡大すると、1秒間にできる磁気の光子のエネルギーは1/10になる。
空間が10倍に拡大すると、距離は10倍になる。
それで、引力は、引力＝エネルギー2÷距離2＝(10−1)2÷102＝10−4(倍)になる。
空間が拡大するほど引力は小さくなる。
よって、アンドロメダ銀河と銀河系は衝突しない。
よって、銀河と銀河の衝突する可能性は少なくなる。
(２)引力は万有引力定数である、1秒間にできる磁気の光子の自転軌道エネルギーによってできると考える場合。
空間が10倍に拡大しても、1秒間にできる磁気の光子の軌道エネルギーは変わらない。
それで、引力は、引力＝エネルギー2÷距離2＝１÷102＝10−2(倍)になる。
よって、アンドロメダ銀河と銀河系は衝突しない。
よって、銀河と銀河の衝突する可能性は少なくなる。
【請求項１３】
ダークマターは、1秒間にどれだけの引力を作っているか。
ダークマターは、自転する電子のラブと自転する陽子のラブです。
それで、自転したまま引力を作っています。
1秒間に作る磁気の光子のエネルギーはいくらか。
−273℃の場のAは、A=(−273)1/2＝−16.522
この温度の場の公転軌道は、1.058×10−10ｍ×16.522＝1.748×10−9ｍ
自転軌道は、1.748×10−9−8ｍ＝1.748×10−17ｍです。
この自転によってできる1個の磁気の光子のエネルギーは、
6.112×10−57Jm÷(1.748×10−17ｍ)＝3.497×10−40Jです。
1秒間にできる磁気の光子のエネルギーは、1秒間に(7.96×107)3自転ですから、
3.497×10−40J×(7.96×107)3自転＝1.764×10−16J、です。
引力は自転軌道×1秒間にできる磁気の光子のエネルギーですから、
引力＝1.748×10−17ｍ×1.764×10−16J＝3.083×10−33Jm、です。
1原子でできる引力と同じです。
ダークマターも原子と同じ引力を作っている。
低エネルギーの場でも、1個の電子のラブが作る引力は3.083×10−33Jmです。
宇宙全体でできる引力は、宇宙全体の電子のラブの数×1.356×10−32Jmです。
【請求項１４】
宇宙はこのまま膨張するのか、又は収縮するのか。
(１)引力は磁気の光子のエネルギーによってできると考える場合。
空間が10倍に拡大すると引力はどのようになるか。
空間が10倍に拡大すると、1秒間にできる磁気の光子のエネルギーは1/10になる。
空間が10倍に拡大すると、距離は10倍になる。
それで、引力は、引力＝エネルギー2÷距離2＝(10−1)2÷102＝10−4(倍)になる。
空間が拡大するほど引力は小さくなる。
よって、宇宙はこのまま拡大する。
(２) 引力は磁気の光子の自転軌道エネルギー(1秒間にできる磁気の光子のエネルギー×自転軌道)によってできると考える場合。
宇宙の電子のラブの数は普遍です。そして、1個の電子のラブが作る引力は、原子の状態でもダークマターの状態でも1.356×10−32Jmです。
宇宙全体でできる引力は、宇宙の電子のラブの数×1.356×10−32Jm＝一定、です。
宇宙空間は拡大している。
引力＝1÷拡大2
よって、引力は空間の拡大2分の1になるので、宇宙はこのまま膨張する。
【請求項１５】
高エネルギーの場において、はたして引力を作っているのは、万有引力係数である1原子が1秒間に作る磁気の光子のエネルギー×自転軌道＝1.356×10−32Jm、であるのか。それとも、1原子が1秒間に作る磁気の光子のエネルギーであるのか。
1原子が1秒間に作る磁気の光子のエネルギー×自転軌道＝1.356×10−32Jmです。
これは、どのようなエネルギーの場においても同じです。
しかし、高エネルギーの場において、1秒間にできる磁気の光子のエネルギーは異なります。高エネルギーの場では、1秒間にできる磁気の光子のエネルギーは大きい。このエネルギーが引力を作っているのではないだろうか。
もし、1原子が1秒間に作る磁気の光子のエネルギー×自転軌道＝1.356×10−32Jm、が引力を作っているのでしたら、宇宙全体の引力はどの時代でも同じです。この引力で引き止められている空間は同じです。
しかし、電子のラブの公転軌道が小さい場合、エネルギーは大きく、空間は小さい。
磁気の光子のエネルギーは大きく、引力は大きく、空間は小さい。
宇宙の引力が大きい場では、空間は小さい。
宇宙の引力が小さい場では、空間は大きくなる。
エネルギー×空間＝一定    磁気の光子のエネルギー×空間＝一定    引力×空間＝一定
それで、高エネルギーの場のクエーサーは小さい。
低エネルギーの場の銀河は大きい。
時代と共にエネルギーは小さくなり、空間は大きくなる。
大きい磁気の光子のエネルギーの場のクエーサーは小さい。
小さい磁気の光子のエネルギーの場の銀河は大きい。
大きい引力の場のクエーサーは小さい。
小さい引力の場の銀河は大きい。
これを、クエーサーの大きさと銀河系の大きさで確認する。
銀河系の直径は105光年です。クエーサーは10日光とすると、2πｒ＝10×24時間×60×60×3×105Km
ｒ＝2.592×1011Km÷2π＝4.127×1010Km
銀河系は半径５万光年です。
半径＝5×104×9.46×1012Km=4.73×1017Km
銀河系はクエーサーの107倍になりました。
クエーサーは、約1億歳です。銀河系は約136億歳とします。
1億歳の電子のラブの公転軌道は、10−16ｍです。
136億歳の電子のラブの公転軌道は、1.36×10−14ｍです。
それで、1億歳の場の1秒間にできる磁気の光子のエネルギーは、3.769×10−15Jです。
136億歳の場のAは、1.058×10−10ｍ÷A=1.36×10−14ｍ
A=1.058×10−10ｍ÷(1.36×10−14ｍ)＝7.779×103、です。
1秒間にできる磁気の光子のエネルギーは、3.769×10−21J×A=3.769×10−21J×7.779×103＝2.932×10−17J、です。
1億歳のエネルギーは、3.769×10−15J÷(2.932×10−17J)＝1.285×102倍です。
それで、引力は、磁気の光子のエネルギーの倍数2÷距離の拡大2＝(1.285×102)4＝2.726×108倍であった。
それで、1億歳の大きさは、2.726×108分の1です。
1÷(2.726×108)＝3.668×10−9倍です。
クエーサーの大きさは、銀河系の大きさの、4.127×1010Km÷(4.73×1017Km)＝8.725×10−8倍です。
これは、１億歳のクエーサーの大きさを10日光としたからです。
3.668×10−9倍の大きさのクエーサーの半径はいくらか。これは何日光か。
半径は、
4.73×1017Km×3.668×10−9＝1.735×109Km、です。
この円周は、2π×1.735×109Km＝1.090×1010Km、です。
この円周は、何日光か。
1.090×1010Km÷(24時間×60×60×3×105Km)＝0.420日光です。
即ち、1億歳の宇宙に半径1.735×1010Kmのクエーサーがありました。それは1周するのに光速で0.42日かかります。
1億歳の場の磁気の光子のエネルギーは、1原子で1秒間に3.769×10−15J できます。
136億歳の場では、1原子で1秒間に2.932×10−17Jできます。
磁気の光子のエネルギーは、2.932×10−17J÷(3.769×10−15J)＝7.779×10−3倍です。
それで、引力は、エネルギー2÷距離2＝(7.779×10−3)4＝3.662×10−9倍です。
大きさの比は、3.662×10−9：１です。
クエーサーの半径：銀河系の半径＝1.735×109Km：4.73×1017Km＝ｘ：１
ｘ＝1.735×109Km÷(4.73×1017Km)＝3.668×10−9
この事によって理解できる事。
1.1秒間にできる磁気の光子のエネルギー比の4乗倍が大きさの比になる事が理解できた。
2.高エネルギーの場で、引力を作っているのは、万有引力係数である1原子が1秒間に作る磁気の光子のエネルギー×自転軌道＝1.356×10−32Jm、ではなく、1原子が1秒間に作る磁気の光子のエネルギーです。
【請求項１６】
宇宙が膨張すると、1秒間にできる磁気の光子のエネルギーは減少する。宇宙が膨張すると、1秒間にできる熱のエネルギーは減少する。宇宙の電子のラブの公転軌道×1秒間にできる熱のエネルギー(引力になる磁気の光子のエネルギー)の式はどのようであるか。宇宙の電子のラブの公転軌道×熱粒子のエネルギー(磁気の光子１個のエネルギー)の式はどのようであるか。
宇宙が膨張しても、万有引力定数である、(1秒間にできる磁気の光子のエネルギー×自転軌道)の引力は一定であり、変わらない。
宇宙が膨張すると、1秒間にできる熱のエネルギーは減少する。
宇宙が膨張すると、1秒間にできる磁気の光子のエネルギーは減少する。
宇宙が膨張すると、熱になる電子のラブの軌道は大きくなる。
宇宙が膨張すると、熱粒子の大きさと独立した磁気の光子の大きさは大きくなる。
これにより、熱と引力の宇宙軌道エネルギーの式ができる。
「宇宙の熱と引力の式」
場のA=10−10ｍ÷電子のラブの公転軌道
場の温度＝(10−10ｍ÷電子のラブの公転軌道)2
a. 電子のラブの公転軌道÷熱になる電気の光子の軌道＝4.824×10−6
熱になる電気の光子の軌道＝電子のラブの公転軌道÷(4.824×10−6)
b. 電子のラブの公転軌道×1秒間にできる熱のエネルギー(磁気の光子のエネルギー)＝3.769×10−31Jm
1秒間にできる熱のエネルギー(磁気の光子のエネルギー)＝3.769×10−31Jm÷電子のラブの公転軌道
c. 電子のラブの公転軌道×1個の熱粒子のエネルギー(1個の磁気の光子のエネルギー)＝7.472×10−55Jm
1個の熱粒子のエネルギー(1個の磁気の光子のエネルギー)＝7.472×10−55Jm÷電子のラブの公転軌道
d. 電子のラブの公転軌道÷自転軌道＝1.223×102
自転軌道＝電子のラブの公転軌道÷(1.223×102)
e. 電子のラブの公転軌道÷独立した磁気の光子の自転軌道＝1.223×102÷4.4
独立した磁気の光子の自転軌道＝電子のラブの公転軌道÷(1.223×102)×4.4
f. 熱粒子の軌道エネルギー＝1個の熱粒子のエネルギー×自転軌道＝7.472×10−55Jm÷電子のラブの公転軌道×電子のラブの公転軌道÷(1.223×102)＝6.110×10−57Jm
g. 1個の磁気の光子の自転軌道エネルギー＝1個の磁気の光子のエネルギー×独立した磁気の光子の自転軌道＝7.472×10−55Jm÷電子のラブの公転軌道×電子のラブの公転軌道÷(1.223×102)×4.4＝2.688×10−56Jm
h. 1秒間にできる熱のエネルギー×自転軌道＝3.769×10−31Jm÷電子のラブの公転軌道×電子のラブの公転軌道÷(1.223×102)＝3.082×10−33Jm
i. 1原子でできる引力定数＝1秒間にできる磁気の光子のエネルギー×独立した磁気の光子の自転軌道＝3.769×10−31Jm÷電子のラブの公転軌道×電子のラブの公転軌道÷(1.223×102)×4.4＝1.356×10−32Jm
表8
2009207352.tif 000010
この事から理解できた事。
1.この事によって、熱のエネルギーと引力のエネルギーは同じである事を理解できた。
2.高エネルギーの場では、高エネルギーの熱粒子ができる。
しかし、1個の熱粒子の軌道×エネルギーは、6.110×10−57Jm であり、どのようなエネルギーの場においても同じである。
3.高エネルギーの場では、高エネルギーの磁気の光子ができ、高エネルギーの引力ができる。
しかし、1個の磁気の光子の軌道×エネルギーは、 2.688×10−56Jmであり、どのようなエネルギーの場においても同じである。
4.どのように高エネルギーの場においても、1原子でできる引力定数は、1原子で1秒間にできる磁気の光子のエネルギー×自転軌道×4.4＝1.356×10−32Jmである。しかし、引力を作っているのは、これではなく、1秒間にできる磁気の光子のエネルギーである。
5.高エネルギーの場では、熱になる光子の軌道は小さくなる。熱は遠赤外線だけでできるのではない。
【請求項１７】
「万有引力定数」から「万有熱定数」「万有熱粒子の軌道エネルギー定数」「万有引力となる磁気の光子の軌道エネルギー定数」を導く。
万有引力定数は、どのようなエネルギーの場においても、1原子が1秒間に作る磁気の光子のエネルギー×磁気の光子の自転軌道＝1.356×10−32Jｍである、ということです。
このように、どのようなエネルギーの場でも、一定である数値を万有定数と定義する。
・1原子が1秒間に作る熱エネルギー×自転軌道＝3.082×10−33Jm。これも、万有定数です。
これを、「万有熱定数」と名付ける。
・1個の熱粒子の軌道エネルギー＝6.110×10−57Jm。これも万有定数です。
これを、「万有熱粒子の軌道エネルギー定数」と名付ける。
・1個の磁気の光子の自転軌道エネルギー＝2.688×10−56Jm。これも万有定数です。
これを、「万有引力となる磁気の光子の軌道エネルギー定数」と名付ける。
【発明の詳細な説明】
【技術分野】
【０００１】
この発明は、地球の中や太陽の中や高エネルギーの場で、熱はどのようにできるのかに関する。地球の中や太陽の中や高エネルギーの場で、引力はどのようにできるのかに関する。
【背景技術】
【０００２】
熱は遠赤外線でできる、と理解されている。1原子が作る引力は、1.356×10−32Jmです。
【先行技術文献】
【特許文献】
【０００３】
【特許文献１】特願2006−336352.
【特許文献２】特許2007−67506
【特許文献３】特願2008−51218．
【特許文献４】特願2008−113159
【発明の概要】
【発明が解決しようとする課題】
【０００４】
１．地表において、熱になる電気の光子の軌道はいくらか。
２．地球の中の軌道において、熱になる電気の光子の軌道はいくらか。1秒間にできる電気の光子のエネルギーはいくらか。温度はいくらか。1個の熱粒子のエネルギーはいくらか。1個の熱粒子の軌道はいくらか。1個の熱粒子の軌道エネルギーはいくらか。
３．太陽の深さの軌道において、熱になる電気の光子の軌道はいくらか。1秒間にできる電気の光子のエネルギーはいくらか。温度はいくらか。1個の熱粒子のエネルギーはいくらか。1個の熱粒子の軌道はいくらか。1個の熱粒子の軌道エネルギーはいくらか。
４．万有引力定数とは何か。
５．高エネルギーの場において、電子のラブが1秒間に作る磁気の光子のエネルギー×自転軌道の値はどのようになるか。引力は質量でできると考えられる理由について。
６．地球の中において、熱になる電気の光子の軌道はいくらか。自転軌道はいくらか。磁気の光子が独立後の自転軌道はいくらか。1秒間にできる磁気の光子のエネルギーはいくらか。引力はいくらか。磁気の光子1個のエネルギーはいくらか。引力になる磁気の光子の自転軌道エネルギーはいくらか。
７．太陽の深さにおいて、熱になる電気の光子の軌道はいくらか。自転軌道はいくらか。磁気の光子が独立後の自転軌道はいくらか。1秒間にできる磁気の光子のエネルギーはいくらか。引力はいくらか。磁気の光子1個のエネルギーはいくらか。引力になる磁気の光子の自転軌道エネルギーはいくらか。
８．どのようなエネルギーの場においても、熱粒子の軌道エネルギーは、6.112×10−57Jmで、一定です。これを一般式で表す。
９．どのようなエネルギーの場においても、引力を作る磁気の光子の軌道エネルギーは、2.688×10−56Jmで、一定です。これを一般式で表す。
１０．宇宙において、熱になる電気の光子の軌道と1秒間にできる電気の光子のエネルギーと温度と熱粒子１個のエネルギーと熱粒子の軌道と熱粒子の軌道エネルギーはどのようになっているのか。
１１．宇宙において、引力になる電気の光子の軌道と1秒間にできる磁気の光子のエネルギーと磁気の光子1個のエネルギーと磁気の光子の自転軌道と磁気の光子が独立後の自転軌道と引力になる磁気の光子の自転軌道エネルギーはいくらか。
１２．銀河系とアンドロメダ銀河は衝突するか。時代が進むにつれて、銀河と銀河の衝突する可能性はどのようになるか。
１３．ダークマターは、1秒間にどれだけの引力を作っているか。
１４．宇宙はこのまま膨張するのか、又は収縮するのか。
１５．高エネルギーの場において、はたして引力を作っているのは、万有引力係数である1原子が1秒間に作る磁気の光子のエネルギー×自転軌道＝1.356×10−32Jm、であるのか。それとも、1原子が1秒間に作る磁気の光子のエネルギーであるのか。
１６．宇宙が膨張すると、1秒間にできる磁気の光子のエネルギーは減少する。宇宙が膨張すると、1秒間にできる熱のエネルギーは減少する。宇宙の電子のラブの公転軌道×1秒間にできる熱のエネルギー(引力になる磁気の光子のエネルギー)の式はどのようであるか。宇宙の電子のラブの公転軌道×熱粒子のエネルギー(磁気の光子１個のエネルギー)の式はどのようであるか。
１７．「万有引力定数」から「万有熱定数」「万有熱粒子の軌道エネルギー定数」「万有引力となる磁気の光子の軌道エネルギー定数」を導く。
【課題を解決するための手段】
【０００５】
私は、2008年2月2日に提出した、特願2008−51218．「熱と引力と地球の引力」の「請求項5」で、
(遠赤外線の軌道になると、電気の光子はどうして熱に変換するのか。
遠赤外線の軌道になると、磁気の光子は1個1個独立しようとします。それで、電気の光子の軌道は切れます。電子の光子の軌道が切れる時、電気の光子のエネルギーは熱エネルギーに変換されます。
例えば、遠赤外線の軌道を、2×10−5ｍとします。
2×10−5ｍの電気の光子の軌道には、2×10−5−8ｍ＝2×10−13ｍの軌道の磁気の光子が約108個存在します。この磁気の光子は1個1個離れようとします。それで、電気の光子の2×10−5ｍの軌道は切れます。この時、電気の光子のエネルギーは熱エネルギーに変換されます。)と記した。
はたして、地球の中でも、熱は遠赤外線の軌道(例えば、2×10−5ｍの軌道)になり、電気の光子の軌道は切れて電気の光子のエネルギーは熱エネルギーに変換されるのでしょうか。
地球の中で、遠赤外線の軌道になり、熱が発生するとすると、1原子で1秒間にできる熱は1℃です。
そして、私は、2007年2月18日に提出した、特願2007−67506、「引力と熱」の「請求項10」で、
(地球の中や太陽の中で、熱はどのようにできたものか。
電子のラブの公転によってできた電気の光子は遠赤外線の波長になると一定の熱エネルギーを発します。
その場の熱エネルギーは、その場の一定の距離（例えば10−10ｍ）に存在する電子のラブの数に比例します。
電子のラブの公転軌道が小さい程、その場の一定の距離（例えば10−10ｍ）に存在する電子のラブの数は多く、電子のラブの数が多いほど、電子のラブが作る電気の光子の数が多くなり、その場の熱エネルギーは大きくなる。
例えば、地上では、電子のラブの公転軌道は1.058×10−10ｍで、1.058×10−10ｍに1個の電子のラブが存在し、この電子のラブが1秒間に作る熱エネルギーは1℃です。
地下で、電子のラブの公転軌道が1.058×10−11ｍの場では、1.058×10−10ｍに10個の電子のラブが存在し、この電子のラブが1秒間に作る熱エネルギーは10℃になります。この場の温度は102℃＝100℃です。
それで、温度がＡ2℃の場では、
電子のラブの公転軌道は、1.058×10−10ｍ÷Ａです。
1.058×10−10ｍの中に、Ａ個の電子のラブがあります。
それで、この場でできる熱エネルギーは、地上でできる熱エネルギー（1℃）のＡ倍です。これは、Ａ個の電子のラブが1秒間に、Ａ×（7.96×107）2個の電気の光子を作り、この電気の光子が4.132×10−5ｍの波長になったとき、熱エネルギーに成るからです。
1秒間にできる熱エネルギー＝電子のラブの数×1電子のラブが1秒間に作る電気の光子の数×1個の電気の光子の熱エネルギー＝Ａ×（7.96×107）2個×1.233×10−41Ｊｍ÷（2.066×10−5ｍ）＝Ａ×3.7814×10−21Ｊ＝Ａ×1℃＝Ａ℃      この場の温度は、Ａ2℃です。)と記した。
そして、「請求項11」では、地球の地下において、1.058×10−10ｍに存在する電子のラブの個数を計算し、この個数の電子のラブが1秒間公転して作る電気の光子の数が、遠赤外線の波長になったとき、熱エネルギーを発する。としました。
しかし、地球の中心に近ずく程、円周は小さくなります。地球の地下において、1.058×10−10ｍに存在する電子のラブの個数を計算する考えは間違っています。
地下から出るマグマは高温です。これは、遠赤外線(例えば2×10−5ｍ)より、小さい軌道の電気の光子が熱に成っているからです。
それで、地球の中の軌道において、熱が発生する電気の光子の軌道は遠赤外線の軌道より小さい軌道であると考えます。
太陽についても同様です。
【発明の効果】
【０００６】
次のことが理解できた。
１．地表において、熱になる電気の光子の軌道は、2.073×10−5ｍです。
２．温度がA2℃の場において、熱になる電気の光子の軌道は、2.073×10−5ｍ÷Aです。
３．1秒間にできる電気の光子のエネルギーは、
1秒間にできる電気の光子の熱エネルギー＝1公転で作る電気の光子の熱エネルギー×1秒間の公転数＝1.233×10−41Jm÷(2.073×10−5ｍ÷A)×(7.96×107)2＝3.769×10−21J×A＝A℃
４．熱粒子１個のエネルギーは、
熱粒子のエネルギー＝1公転でできる電気の光子の熱エネルギー÷1公転の間に切れる箇所＝1.233×10−41Jm÷(2.073×10−5ｍ÷A)÷(7.96×107箇所)＝7.472×10−45J×A
５．熱粒子１個のエネルギー＝1秒間にできる熱粒子のエネルギー÷1秒間の自転数＝1.233×10−41Jm÷(2.073×10−5ｍ÷A)×(7.96×107)2÷(7.96×107)3＝7.472×10−45J×A
６．熱粒子の軌道は、
軌道＝熱になる電気の光子の円周÷1公転の自転数＝2.073×10−5ｍ÷A×3.14÷(7.96×107回)＝8.177×10−13ｍ÷A
７．1個の熱粒子の軌道エネルギーは、
1個の熱粒子の軌道エネルギー＝1個の熱粒子のエネルギー×1個の熱粒子の軌道＝7.472×10−45J×A×8.177×10−13ｍ÷A＝6.110×1057Jm
これは、自転軌道エネルギーです。
８．1秒間にできる磁気の光子のエネルギーは、
1秒間にできる磁気の光子のエネルギー＝1公転で作る磁気の光子のエネルギー×1秒間の公転数＝1.233×10−41Jm÷(2.073×10−5ｍ÷A)×(7.96×107)2＝3.769×10−21J×A 
９．磁気の光子1個のエネルギーは、
磁気の光子1個のエネルギー＝1公転でできる磁気の光子のエネルギー÷1公転の自転数＝1.233×10−41Jm÷(2.073×10−5ｍ÷A)÷(7.96×107個)＝7.472×10−45J×A
１０．磁気の光子の自転軌道は、
磁気の光子の自転軌道＝熱になる電気の光子の円周÷1公転の自転数＝2.073×10−5ｍ÷A×3.14÷(7.96×107回)＝8.177×10−13ｍ÷A
１１．独立した磁気の光子の自転軌道＝磁気の光子の自転軌道×4.4＝8.177×10−13ｍ÷A×4.4＝3.598×10−12ｍ÷A
１２．磁気の光子の自転軌道エネルギーは、
引力になる磁気の光子の自転軌道エネルギー＝磁気の光子1個のエネルギー×独立した磁気の光子の自転軌道＝7.472×10−45J×A ×3.598×10−12ｍ÷A＝2.688×10−56Jm
この値は、磁気の光子の自転軌道エネルギーの4.4倍です。これは、磁気の光子が独立した時、軌道を4.4倍に拡大したと考えたためです。
１３．1.356×10−32Jm＝1原子でできる万有引力定数＝1秒間にできる磁気の光子のエネルギー×独立した磁気の光子の自転軌道＝＝1公転で作る磁気の光子のエネルギー×1秒間の公転数×磁気の光子の自転軌道×4.4＝1.233×10−41Jm÷(2.073×10−5ｍ÷A)×(7.96×107)2×8.177×10−13ｍ÷A×4.4＝3.769×10−21J×A×3.598×10−12ｍ÷A＝1.356×10−32Jm
１４．この事によって理解できる事。
1.高エネルギーの場において(低エネルギーの場においても)、引力である、電子のラブが1秒間に作る磁気の光子のエネルギー×自転軌道＝3.082×10−33J、である。
2. 私が計算して求めた電子のラブが1秒間に作る磁気の光子のエネルギー×自転軌道＝3.082×10−33Jを1.356×10−32Jmとみなす。
3.磁気の光子が独立する時、軌道を4.4倍にする、と考えると、独立した磁気の光子の自転軌道は、自転軌道×4.4となる。それで、独立した磁気の光子の自転軌道×1秒間にできる磁気の光子のエネルギー＝7.382×10−16J×A×4.175×10−18ｍ×4.4÷A＝7.382×10−16J×4.175×10−18ｍ×4.4＝3.082×10−33J×4.4＝1.356×10−32Jm、となる。
3.引力はどのようなエネルギーの場でも変わらない。1原子でできる引力は、どのような高エネルギーの場においても、低エネルギーの場においても、1.356×10−32Jｍである。
4.即ち、1原子が作る引力はどのようなエネルギーの場においても、1.356×10−32Jｍである。１Kgでできる引力はどのようなエネルギーの場においても、(6.672×10−11Jm)1/2=8.168×10−6Jm、である。
この場合の引力は、万有引力係数＝引力＝1原子が1秒間に作る磁気の光子のエネルギー×独立した磁気の光子の自転軌道＝1.356×10−32Jｍ、である。
１５．銀河系とアンドロメダ銀河は衝突するか。時代が進むにつれて、銀河と銀河の衝突する可能性はどのようになるか。宇宙はこのまま膨張するのか、収縮するのか。
(１)引力は磁気の光子のエネルギーによってできると考える場合。
空間が10倍に拡大すると、1秒間にできる磁気の光子のエネルギーは1/10になる。
空間が10倍に拡大すると、距離は10倍になる。
それで、引力は、引力＝エネルギー2÷距離2＝(10−1)2÷102＝10−4(倍)になる。
(２)引力は磁気の光子の自転軌道エネルギー(万有引力係数)によってできると考える場合。
空間が10倍に拡大しても、1秒間にできる磁気の光子の軌道エネルギーは変わらない。
それで、引力は、引力＝エネルギー2÷距離2＝１÷102＝10−2(倍)になる。
引力は拡大2分の1になる。
銀河系とアンドロメダ銀河は衝突しない。時代が進むにつれて、銀河と銀河の衝突の可能性は少なくなる。宇宙はこのまま膨張する。
１６．ダークマターも原子と同じ引力を作っている。
１７．1億歳の宇宙に半径1.735×1010Kmのクエーサーがありました。それは1周するのに光速で0.42日かかります。
1億歳の場の磁気の光子のエネルギーは、1原子で1秒間に3.769×10−15J できます。
136億歳の場では、1原子で1秒間に2.932×10−17Jできます。
磁気の光子のエネルギーは、2.932×10−17J÷(3.769×10−15J)＝7.779×10−3倍です。
それで、引力は、エネルギー2÷距離2＝(7.779×10−3)4＝3.662×10−9倍です。
大きさの比は、3.662×10−9：１です。
クエーサーの半径：銀河系の半径＝1.735×109Km：4.73×1017Km＝ｘ：１
ｘ＝1.735×109Km÷(4.73×1017Km)＝3.668×10−9
この事によって理解できる事。
1.1秒間にできる磁気の光子のエネルギー比の4乗倍が大きさの比になる事が理解できた。
2.高エネルギーの場で、引力を作っているのは、万有引力係数である1原子が1秒間に作る磁気の光子のエネルギー×自転軌道＝1.356×10−32Jm、ではなく、1原子が1秒間に作る磁気の光子のエネルギーです。
１８．「宇宙の熱と引力の式」
場のA=10−10ｍ÷電子のラブの公転軌道
場の温度＝(10−10ｍ÷電子のラブの公転軌道)2
a. 熱になる電気の光子の軌道＝電子のラブの公転軌道÷(4.824×10−6)
b. 1秒間にできる熱のエネルギー(磁気の光子のエネルギー)＝3.769×10−31Jm÷電子のラブの公転軌道
c. 1個の熱粒子のエネルギー(1個の磁気の光子のエネルギー)＝7.472×10−55Jm÷電子のラブの公転軌道
d.自転軌道＝電子のラブの公転軌道÷(1.223×102)
e. 独立した磁気の光子の自転軌道＝電子のラブの公転軌道÷(1.223×102)×4.4
f. 熱粒子の軌道エネルギー＝6.110×10−57Jm
g. 磁気の光子1個の自転軌道エネルギー＝2.688×10−56Jm
h. 1秒間にできる熱のエネルギー×自転軌道＝3.082×10−33Jm
i. 1原子でできる引力定数＝＝1.356×10−32Jm
１９．この事から理解できた事。
1.この事によって、熱のエネルギーと引力のエネルギーは同じである事を理解できた。
2.高エネルギーの場では、高エネルギーの熱粒子ができる。
しかし、1個の熱粒子の軌道×エネルギーは、6.110×10−57Jm であり、どのようなエネルギーの場においても同じである。
3.高エネルギーの場では、高エネルギーの磁気の光子ができ、高エネルギーの引力ができる。
しかし、1個の磁気の光子の軌道×エネルギーは、 2.688×10−56Jmであり、どのようなエネルギーの場においても同じである。
4.どのように高エネルギーの場においても、1原子でできる引力定数は、1原子で1秒間にできる磁気の光子のエネルギー×自転軌道×4.4＝1.356×10−32Jmである。しかし、引力を作っているのは、これではなく、1秒間にできる磁気の光子のエネルギーである。
5.高エネルギーの場では、熱になる光子の軌道は小さくなる。熱は遠赤外線だけでできるのではない。
２０．どのようなエネルギーの場でも、一定である数値を万有定数と定義する。
・1原子が1秒間に作る熱エネルギー×自転軌道＝3.082×10−33Jm。これも、万有定数です。
これを、「万有熱定数」と名付ける。
・1個の熱粒子の軌道エネルギー＝6.110×10−57Jm。これも万有定数です。
これを、「万有熱粒子の軌道エネルギー定数」と名付ける。
・1個の磁気の光子の自転軌道エネルギー＝2.688×10−56Jm。これも万有定数です。
これを、「万有引力となる磁気の光子の軌道エネルギー定数」と名付ける。
【図面の簡単な説明】
【０００７】
【図１】場の温度がA2℃で、地表のA倍のエネルギーの場では、熱になる電気の光子の軌道が、2.073×10−5ｍ÷Aに成ると、7.96×107箇所で切れる。電子のラブが自転して作る磁気の光子が電気の光子から独立するためです。この時できる、熱粒子1個のエネルギーは7.472×10−45J×Aで、軌道は8.177×10−13ｍ÷Aです。熱粒子1個の軌道エネルギーは6.110×1057Jmです。これは、自転軌道エネルギーです。熱になる基本体は熱粒子であり、軌道×1個のエネルギー＝6.110×1057Jmです。高エネルギーの場でできる熱粒子1個のエネルギーは大きく軌道は小さい。1秒間にできる電気の光子の熱エネルギーは、3.769×10−21J×A＝A℃です。磁気の光子が独立する時、自転軌道は4.4倍になる。この時できる、磁気の光子1個のエネルギーは、7.472×10−45J×Aです。独立した磁気の光子の自転軌道は、磁気の光子の自転軌道×4.4＝8.177×10−13ｍ÷A×4.4＝3.598×10−12ｍ÷A、です。磁気の光子の軌道エネルギーは、7.472×10−45J×A×3.598×10−12ｍ÷A＝2.688×10−56Jm、です。これは、自転軌道を4.4倍にしたからです。1原子でできる万有引力は、1秒間にできる磁気の光子のエネルギー×独立後の磁気の光子の軌道＝3.769×10−21J×A×3.598×10−12ｍ÷A＝1.356×10−32Jm
【発明を実施するための形態】
【０００８】
１．  地表において、熱になる電気の光子の軌道はいくらか。
地表において、熱になる電気の光子の軌道をｘｍとする。
地表において、1秒間にできる電気の光子のエネルギーは、1℃です。
1秒間にできる電気の光子のエネルギー＝1公転で作る電気の光子のエネルギー×1秒間の公転数＝1.233×10−41Jm÷ｘｍ×(7.96×107)2＝273×1.38065×10−23J=3.76917×10−21J
ｘｍ＝1.233×10−41Jm×(7.96×107)2÷(3.76917×10−21J)＝2.072733×10−5ｍ
地表において、熱になる電気の光子の軌道は、2.073×10−5ｍです。
２．  地球の中の軌道において熱になる電気の光子の軌道はいくらか。1秒間にできる電気の光子の熱エネルギーはいくらか。温度はいくらか。1個の熱粒子のエネルギーはいくらか。1個の熱粒子の軌道はいくらか。1個の熱粒子の軌道エネルギーはいくらか。
地球の中では、圧力が高く、この圧力によって、磁気の光子は小さい軌道で独立しようとする。熱は磁気の光子が小さい軌道で独立しようとし、電気の光子の軌道が約108箇所で切れたときできる。熱粒子については、2008年3月27日に提出した、特願2008−113159の「請求項9」に記した。
・地下6500Ｋｍでは、温度は7600K＝7327℃である。この場のAは、85.6です。(Aは地表のエネルギーのA倍であることを示す。)
温度1℃で、熱になる電気の光子の軌道は、2.073×10−5ｍです。
A=85.6では、熱になる電気の光子の軌道は、2.073×10−5ｍ÷85.6＝2.422×10−7ｍです。
1秒間にできる電気の光子の熱エネルギーは、
1秒間にできる電気の光子の熱エネルギー＝1公転で作る電気の光子の熱エネルギー×1秒間の公転数＝1.233×10−41Jm÷(2.422×10−7ｍ)×(7.96×107)2＝3.226×10−19J
この温度は、3.226×10−19J÷(3.769×10−21J)＝85.593℃
即ち、この場で、熱になる電気の光子の軌道は2.422×10−7ｍです。この電気の光子の軌道は7.96×10７箇所で切れ、このとき、電気の光子のエネルギーが熱エネルギーに変換されます。7.96×10７個の熱粒子ができます。
1個の熱粒子のエネルギーは、
1個の熱粒子のエネルギー＝1公転でできる電気の光子のエネルギー÷1公転の間に切れる箇所＝1.233×10−41Jm÷(2.422×10−7ｍ)÷(7.96×107箇所)＝6.396×10−43J
1秒間にできる熱粒子のエネルギーは、
1秒間にできる熱粒子のエネルギー＝1個の熱粒子のエネルギー×1公転でできた熱粒子数×1秒間の公転数＝6.396×10−43J×7.96×107個×(7.96×107)2＝3.226×10−19J
1個の熱粒子の軌道は、
軌道＝熱になる電気の光子の円周÷1公転の自転数＝2.422×10−7ｍ×3.14÷(7.96×107回)＝9.554×10−15ｍ
1個の熱粒子の軌道エネルギーは、
1個の熱粒子の軌道エネルギー＝1個の熱粒子のエネルギー×1個の熱粒子の軌道＝6.396×10−43J×9.554×10−15ｍ＝6.111×10−57Jm
これは、自転軌道エネルギーです。この値は、2006年11月15日に提出した、特願2006−336352.のデーターである、電子のラブが1自転して作る磁気の光子1個の自転軌道エネルギー、6.112×10−57Jmです。
・地下6000Ｋｍでは、温度は6000℃である。この場のAは、77.46です。
温度1℃で、熱になる電気の光子の軌道は、2.073×10−5ｍです。
A=77.46では、熱になる電気の光子の軌道は、2.073×10−5ｍ÷77.46＝2.676×10−7ｍです。
1秒間にできる電気の光子の熱エネルギーは、
1秒間にできる電気の光子の熱エネルギー＝1公転で作る電気の光子の熱エネルギー×1秒間の公転数＝1.233×10−41Jm÷(2.676×10−7ｍ)×(7.96×107)2＝2.919×10−19J
この温度は、2.919×10−19J÷(3.769×10−21J)＝77.45℃
即ち、この場で、熱になる電気の光子の軌道は2.676×10−7ｍです。この電気の光子の軌道は7.96×10７箇所で切れ、このとき、電気の光子のエネルギーが熱エネルギーに変換されます。7.96×10７個の熱粒子ができます。
1個の熱粒子のエネルギーは、
1個の熱粒子のエネルギー＝1公転でできる電気の光子のエネルギー÷1公転の間に切れる箇所＝1.233×10−41Jm÷(2.676×10−7ｍ)÷(7.96×107箇所)＝5.788×10−43J
1秒間にできる熱粒子のエネルギーは、
1秒間にできる熱粒子のエネルギー＝1個の熱粒子のエネルギー×1公転でできた熱粒子数×1秒間の公転数＝5.788×10−43J×7.96×107個×(7.96×107)2＝2.919×10−19J
1個の熱粒子の軌道は、
軌道＝熱になる電気の光子の円周÷1公転の自転数＝2.676×10−7ｍ×3.14÷(7.96×107回)＝1.056×10−14ｍ
1個の熱粒子の軌道エネルギーは、
1個の熱粒子の軌道エネルギー＝1個の熱粒子のエネルギー×1個の熱粒子の軌道＝5.788×10−43J×1.056×10−14ｍ＝6.111×10−57Jm
これは、自転軌道エネルギーです。
・地下5000Ｋｍでは、温度は5000℃である。この場のAは、70.71です。
温度1℃で、熱になる電気の光子の軌道は、2.073×10−5ｍです。
A=70.71では、熱になる電気の光子の軌道は、2.073×10−5ｍ÷70.71＝2.932×10−7ｍです。
1秒間にできる電気の光子の熱エネルギーは、
1秒間にできる電気の光子の熱エネルギー＝1公転で作る電気の光子の熱エネルギー×1秒間の公転数＝1.233×10−41Jm÷(2.932×10−7ｍ)×(7.96×107)2＝2.665×10−19J
この温度は、2.665×10−19J÷(3.769×10−21J)＝70.71℃
即ち、この場で、熱になる電気の光子の軌道は2.932×10−7ｍです。この電気の光子の軌道は7.96×10７箇所で切れ、このとき、電気の光子のエネルギーが熱エネルギーに変換されます。7.96×10７個の熱粒子ができます。
1個の熱粒子のエネルギーは、
1個の熱粒子のエネルギー＝1公転でできる電気の光子のエネルギー÷1公転の間に切れる箇所＝1.233×10−41Jm÷(2.932×10−7ｍ)÷(7.96×107箇所)＝5.283×10−43J
1秒間にできる熱粒子のエネルギーは、
1秒間にできる熱粒子のエネルギー＝1個の熱粒子のエネルギー×1公転でできた熱粒子数×1秒間の公転数＝5.288×10−43J×7.96×107個×(7.96×107)2＝2.667×10−19J
1個の熱粒子の軌道は、
軌道＝熱になる電気の光子の円周÷1公転の自転数＝2.932×10−7ｍ×3.14÷(7.96×107回)＝1.157×10−14ｍ
1個の熱粒子の軌道エネルギーは、
1個の熱粒子の軌道エネルギー＝1個の熱粒子のエネルギー×1個の熱粒子の軌道＝5.283×10−43J×1.157×10−14ｍ＝6.112×10−57Jm
これは、自転軌道エネルギーです。
・地下4000Ｋｍでは、温度は4000℃である。この場のAは、63.25です。
温度1℃で、熱になる電気の光子の軌道は、2.073×10−5ｍです。
A=70.71では、熱になる電気の光子の軌道は、2.073×10−5ｍ÷63.25＝3.277×10−7ｍです。
1秒間にできる電気の光子のエネルギーは、
1秒間にできる電気の光子のエネルギー＝1公転で作る電気の光子のエネルギー×1秒間の公転数＝1.233×10−41Jm÷(3.277×10−7ｍ)×(7.96×107)2＝2.384×10−19J
この温度は、2.384×10−19J÷(3.769×10−21J)＝63.25℃
即ち、この場で、熱になる電気の光子の軌道は3.277×10−7ｍです。この電気の光子の軌道は7.96×10７箇所で切れ、このとき、電気の光子のエネルギーが熱エネルギーに変換されます。7.96×10７個の熱粒子ができます。
1個の熱粒子のエネルギーは、
1個の熱粒子のエネルギー＝1公転でできる電気の光子のエネルギー÷1公転の間に切れる箇所＝1.233×10−41Jm÷(3.277×10−7ｍ)÷(7.96×107箇所)＝4.727×10−43J
1秒間にできる熱粒子のエネルギーは、
1秒間にできる熱粒子のエネルギー＝1個の熱粒子のエネルギー×1公転でできた熱粒子数×1秒間の公転数＝4.727×10−43J×7.96×107個×(7.96×107)2＝2.384×10−19J
1個の熱粒子の軌道は、
軌道＝熱になる電気の光子の円周÷1公転の自転数＝3.277×10−7ｍ×3.14÷(7.96×107回)＝1.293×10−14ｍ
1個の熱粒子の軌道エネルギーは、
1個の熱粒子の軌道エネルギー＝1個の熱粒子のエネルギー×1個の熱粒子の軌道＝4.727×10−43J ×1.293×10−14ｍ＝6.112×10−57Jm
これは、自転軌道エネルギーです。
・地下3000Ｋｍでは、温度は3000℃である。この場のAは、54.77です。
温度1℃で、熱になる電気の光子の軌道は、2.073×10−5ｍです。
A=70.71では、熱になる電気の光子の軌道は、2.073×10−5ｍ÷54.77＝3.785×10−7ｍです。
1秒間にできる電気の光子の熱エネルギーは、
1秒間にできる電気の光子の熱エネルギー＝1公転で作る電気の光子の熱エネルギー×1秒間の公転数＝1.233×10−41Jm÷(3.785×10−7ｍ)×(7.96×107)2＝2.064×10−19J
この温度は、2.064×10−19J÷(3.769×10−21J)＝54.76℃
即ち、この場で、熱になる電気の光子の軌道は3.785×10−7ｍです。この電気の光子の軌道は7.96×10７箇所で切れ、このとき、電気の光子のエネルギーが熱エネルギーに変換されます。7.96×10７個の熱粒子ができます。
1個の熱粒子のエネルギーは、
1個の熱粒子のエネルギー＝1公転でできる電気の光子のエネルギー÷1公転の間に切れる箇所＝1.233×10−41Jm÷(3.785×10−7ｍ)÷(7.96×107箇所)＝4.092×10−43J
1秒間にできる熱粒子のエネルギーは、
1秒間にできる熱粒子のエネルギー＝1個の熱粒子のエネルギー×1公転でできた熱粒子数×1秒間の公転数＝4.092×10−43J×7.96×107個×(7.96×107)2＝2.064×10−19J
1個の熱粒子の軌道は、
軌道＝熱になる電気の光子の円周÷1公転の自転数＝3.785×10−7ｍ×3.14÷(7.96×107回)＝1.493×10−14ｍ
1個の熱粒子の軌道エネルギーは、
1個の熱粒子の軌道エネルギー＝1個の熱粒子のエネルギー×1個の熱粒子の軌道＝4.092×10−43J ×1.493×10−14ｍ＝6.109×10−57Jm
これは、自転軌道エネルギーです。
・地下2000Ｋｍでは、温度は2000℃である。この場のAは、44.72です。
温度1℃で、熱になる電気の光子の軌道は、2.073×10−5ｍです。
A=70.71では、熱になる電気の光子の軌道は、2.073×10−5ｍ÷44.72＝4.636×10−7ｍです。
1秒間にできる電気の光子の熱エネルギーは、
1秒間にできる電気の光子の熱エネルギー＝1公転で作る電気の光子の熱エネルギー×1秒間の公転数＝1.233×10−41Jm÷(4.636×10−7ｍ)×(7.96×107)2＝1.685×10−19J
この温度は、1.685×10−19J÷(3.769×10−21J)＝44.71℃
即ち、この場で、熱になる電気の光子の軌道は2.932×10−7ｍです。この電気の光子の軌道は7.96×10７箇所で切れ、このとき、電気の光子のエネルギーが熱エネルギーに変換されます。7.96×10７個の熱粒子ができます。
1個の熱粒子のエネルギーは、
1個の熱粒子のエネルギー＝1公転でできる電気の光子のエネルギー÷1公転の間に切れる箇所＝1.233×10−41Jm÷(4.636×10−7ｍ)÷(7.96×107箇所)＝3.341×10−43J
1秒間にできる熱粒子のエネルギーは、
1秒間にできる熱粒子のエネルギー＝1個の熱粒子のエネルギー×1公転でできた熱粒子数×1秒間の公転数＝3.341×10−43J×7.96×107個×(7.96×107)2＝1.685×10−19J
1個の熱粒子の軌道は、
軌道＝熱になる電気の光子の円周÷1公転の自転数＝4.636×10−7ｍ×3.14÷(7.96×107回)＝1.829×10−14ｍ
1個の熱粒子の軌道エネルギーは、
1個の熱粒子の軌道エネルギー＝1個の熱粒子のエネルギー×1個の熱粒子の軌道＝ 3.341×10−43J×1.829×10−14ｍ＝6.111×10−57Jm
これは、自転軌道エネルギーです。
・地下1000Ｋｍでは、温度は1000℃である。この場のAは、31.62です。
温度1℃で、熱になる電気の光子の軌道は、2.073×10−5ｍです。
A=70.71では、熱になる電気の光子の軌道は、2.073×10−5ｍ÷31.62＝6.556×10−7ｍです。
1秒間にできる電気の光子の熱エネルギーは、
1秒間にできる電気の光子の熱エネルギー＝1公転で作る電気の光子の熱エネルギー×1秒間の公転数＝1.233×10−41Jm÷(6.556×10−7ｍ)×(7.96×107)2＝1.192×10−19J
この温度は、1.192×10−19J÷(3.769×10−21J)＝31.63℃
即ち、この場で、熱になる電気の光子の軌道は6.556×10−7ｍです。この電気の光子の軌道は7.96×10７箇所で切れ、このとき、電気の光子のエネルギーが熱エネルギーに変換されます。7.96×10７個の熱粒子ができます。
1個の熱粒子のエネルギーは、
1個の熱粒子のエネルギー＝1公転でできる電気の光子のエネルギー÷1公転の間に切れる箇所＝1.233×10−41Jm÷(6.556×10−7ｍ)÷(7.96×107箇所)＝2.363×10−43J
1秒間にできる熱粒子のエネルギーは、
1秒間にできる熱粒子のエネルギー＝1個の熱粒子のエネルギー×1公転でできた熱粒子数×1秒間の公転数＝2.363×10−43J×7.96×107個×(7.96×107)2＝1.192×10−19J
1個の熱粒子の軌道は、
軌道＝熱になる電気の光子の円周÷1公転の自転数＝6.556×10−7ｍ×3.14÷(7.96×107回)＝2.586×10−14ｍ
1個の熱粒子の軌道エネルギーは、
1個の熱粒子の軌道エネルギー＝1個の熱粒子のエネルギー×1個の熱粒子の軌道＝2.363×10−43J×2.586×10−14ｍ＝6.111×10−57Jm
これは、自転軌道エネルギーです。
３．  太陽の深さの軌道において、熱になる電気の光子の軌道はいくらか。1秒間にできる電気の光子のエネルギーはいくらか。温度はいくらか。1個の熱粒子のエネルギーはいくらか。1個の熱粒子の軌道はいくらか。1個の熱粒子の軌道エネルギーはいくらか。
太陽の深さでは、圧力が高く、この圧力によって、磁気の光子は小さい軌道で独立しようとする。熱は磁気の光子が小さい軌道で独立しようとし、電気の光子の軌道が約108箇所で切れたときできる。
・太陽の深さ7×105Ｋｍでは、温度は15×106℃である。(15×106℃)1/2=3.873×103℃
この場のAは、3.873×103です。
温度1℃で、熱になる電気の光子の軌道は、2.073×10−5ｍです。
A=3.873×103では、熱になる電気の光子の軌道は、2.073×10−5ｍ÷(3.873×103)＝5.352×10−9ｍです。
1秒間にできる電気の光子の熱エネルギーは、
1秒間にできる電気の光子の熱エネルギー＝1公転で作る電気の光子の熱エネルギー×1秒間の公転数＝1.233×10−41Jm÷(3.873×10−9ｍ)×(7.96×107)2＝1.460×10−17J
この温度は、1.460×10−17J÷(3.769×10−21J)＝3.873×103℃
即ち、この場で、熱になる電気の光子の軌道は3.873×10−9ｍです。この電気の光子の軌道は7.96×10７箇所で切れ、このとき、電気の光子のエネルギーが熱エネルギーに変換されます。7.96×10７個の熱粒子ができます。
1個の熱粒子のエネルギーは、
1個の熱粒子のエネルギー＝1公転でできる電気の光子のエネルギー÷1公転の間に切れる箇所＝1.233×10−41Jm÷(5.352×10−9ｍ)÷(7.96×107箇所)＝2.894×10−41J
1秒間にできる熱粒子のエネルギーは、
1秒間にできる熱粒子のエネルギー＝1個の熱粒子のエネルギー×1公転でできた熱粒子数×1秒間の公転数＝2.894×10−41J×7.96×107個×(7.96×107)2＝1.460×10−17J
1個の熱粒子の軌道は、
軌道＝熱になる電気の光子の円周÷1公転の自転数＝5.352×10−9ｍ×3.14÷(7.96×107回)＝2.111×10−16ｍ。
1個の熱粒子の軌道エネルギーは、
1個の熱粒子の軌道エネルギー＝1個の熱粒子のエネルギー×1個の熱粒子の軌道＝2.894×10−41J×2.111×10−16ｍ＝6.109×10−57Jm
これは、自転軌道エネルギーです。
・太陽の深さ5×105Ｋｍでは、温度は11.7×106℃である。(11.7×106℃)1/2=3.428×103℃
この場のAは、3.428×103です。
温度1℃で、熱になる電気の光子の軌道は、2.073×10−5ｍです。
A=3.428×103では、熱になる電気の光子の軌道は、2.073×10−5ｍ÷(3.428×103)＝6.047×10−9ｍです。
1秒間にできる電気の光子の熱エネルギーは、
1秒間にできる電気の光子の熱エネルギー＝1公転で作る電気の光子の熱エネルギー×1秒間の公転数＝1.233×10−41Jm÷(6.047×10−9ｍ)×(7.96×107)2＝1.292×10−17J
この温度は、1.292×10−17J÷(3.769×10−21J)＝3.428×103℃
即ち、この場で、熱になる電気の光子の軌道は3.873×10−9ｍです。この電気の光子の軌道は7.96×10７箇所で切れ、このとき、電気の光子のエネルギーが熱エネルギーに変換されます。7.96×10７個の熱粒子ができます。
1個の熱粒子のエネルギーは、
1個の熱粒子のエネルギー＝1公転でできる電気の光子のエネルギー÷1公転の間に切れる箇所＝1.233×10−41Jm÷(6.047×10−9ｍ)÷(7.96×107箇所)＝2.562×10−41J
1秒間にできる熱粒子のエネルギーは、
1秒間にできる熱粒子のエネルギー＝1個の熱粒子のエネルギー×1公転でできた熱粒子数×1秒間の公転数＝2.562×10−41J×7.96×107個×(7.96×107)2＝1.292×10−17J
1個の熱粒子の軌道は、
軌道＝熱になる電気の光子の円周÷1公転の自転数＝6.047×10−9ｍ×3.14÷(7.96×107回)＝2.385×10−16ｍ
1個の熱粒子の軌道エネルギーは、
1個の熱粒子の軌道エネルギー＝1個の熱粒子のエネルギー×1個の熱粒子の軌道＝2.562×10−41J×2.385×10−16ｍ＝6.110×10−57Jm
これは、自転軌道エネルギーです。
・太陽の深さ4×105Ｋｍでは、温度は8.5×106℃である。(8.5×106℃)1/2=2.915×103℃
この場のAは、2.915×103です。
温度1℃で、熱になる電気の光子の軌道は、2.073×10−5ｍです。
A=2.915×103では、熱になる電気の光子の軌道は、2.073×10−5ｍ÷(2.915×103)＝7.111×10−9ｍです。
1秒間にできる電気の光子の熱エネルギーは、
1秒間にできる電気の光子の熱エネルギー＝1公転で作る電気の光子の熱エネルギー×1秒間の公転数＝1.233×10−41Jm÷(7.111×10−9ｍ)×(7.96×107)2＝1.099×10−17J
この温度は、1.099×10−17J÷(3.769×10−21J)＝2.916×103℃
即ち、この場で、熱になる電気の光子の軌道は7.111×10−9ｍです。この電気の光子の軌道は7.96×10７箇所で切れ、このとき、電気の光子のエネルギーが熱エネルギーに変換されます。7.96×10７個の熱粒子ができます。
1個の熱粒子のエネルギーは、
1個の熱粒子のエネルギー＝1公転でできる電気の光子のエネルギー÷1公転の間に切れる箇所＝1.233×10−41Jm÷(7.111×10−9ｍ)÷(7.96×107箇所)＝2.178×10−41J
1秒間にできる熱粒子のエネルギーは、
1秒間にできる熱粒子のエネルギー＝1個の熱粒子のエネルギー×1公転でできた熱粒子数×1秒間の公転数＝2.178×10−41J×7.96×107個×(7.96×107)2＝1.098×10−17J
1個の熱粒子の軌道は、
軌道＝熱になる電気の光子の円周÷1公転の自転数＝7.111×10−9ｍ×3.14÷(7.96×107回)＝2.805×10−16ｍ
1個の熱粒子の軌道エネルギーは、
1個の熱粒子の軌道エネルギー＝1個の熱粒子のエネルギー×1個の熱粒子の軌道＝2.178×10−41J×2.805×10−16ｍ＝6.109×10−57Jm
これは、自転軌道エネルギーです。
・太陽の深さ3×105Ｋｍでは、温度は5.25×106℃である。(5.25×106℃)1/2=2.291×103℃
この場のAは、2.291×103です。
温度1℃で、熱になる電気の光子の軌道は、2.073×10−5ｍです。
A=2.291×103では、熱になる電気の光子の軌道は、2.073×10−5ｍ÷(2.291×103)＝9.048×10−9ｍです。
1秒間にできる電気の光子の熱エネルギーは、
1秒間にできる電気の光子の熱エネルギー＝1公転で作る電気の光子の熱エネルギー×1秒間の公転数＝1.233×10−41Jm÷(9.048×10−9ｍ)×(7.96×107)2＝8.634×10−18J
この温度は、8.634×10−18J÷(3.769×10−21J)＝2.291×103℃
即ち、この場で、熱になる電気の光子の軌道は9.048×10−9ｍです。この電気の光子の軌道は7.96×10７箇所で切れ、このとき、電気の光子のエネルギーが熱エネルギーに変換されます。7.96×10７個の熱粒子ができます。
1個の熱粒子のエネルギーは、
1個の熱粒子のエネルギー＝1公転でできる電気の光子のエネルギー÷1公転の間に切れる箇所＝1.233×10−41Jm÷(9.048×10−9ｍ)÷(7.96×107箇所)＝1.712×10−41J
1秒間にできる熱粒子のエネルギーは、
1秒間にできる熱粒子のエネルギー＝1個の熱粒子のエネルギー×1公転でできた熱粒子数×1秒間の公転数＝1.712×10−41J×7.96×107個×(7.96×107)2＝8.635×10−18J
1個の熱粒子の軌道は、
軌道＝熱になる電気の光子の円周÷1公転の自転数＝9.048×10−9ｍ×3.14÷(7.96×107回)＝3.569×10−16ｍ
1個の熱粒子の軌道エネルギーは、
1個の熱粒子の軌道エネルギー＝1個の熱粒子のエネルギー×1個の熱粒子の軌道＝1.712×10−41J×3.569×10−16ｍ＝6.110×10−57Jm
これは、自転軌道エネルギーです。
・太陽の深さ2×105Ｋｍでは、温度は2×106℃である。(2×106℃)1/2=1.414×103℃
この場のAは、1.414×103です。
温度1℃で、熱になる電気の光子の軌道は、2.073×10−5ｍです。
A=1.414×103では、熱になる電気の光子の軌道は、2.073×10−5ｍ÷(1.414×103)＝1.466×10−8ｍです。
1秒間にできる電気の光子の熱エネルギーは、
1秒間にできる電気の光子の熱エネルギー＝1公転で作る電気の光子の熱エネルギー×1秒間の公転数＝1.233×10−41Jm÷(1.466×10−8ｍ)×(7.96×107)2＝5.329×10−18J
この温度は、5.329×10−18J÷(3.769×10−21J)＝1.414×103℃
即ち、この場で、熱になる電気の光子の軌道は1.466×10−8ｍです。この電気の光子の軌道は7.96×10７箇所で切れ、このとき、電気の光子のエネルギーが熱エネルギーに変換されます。7.96×10７個の熱粒子ができます。
1個の熱粒子のエネルギーは、
1個の熱粒子のエネルギー＝1公転でできる電気の光子のエネルギー÷1公転の間に切れる箇所＝1.233×10−41Jm÷(1.466×10−8ｍ)÷(7.96×107箇所)＝1.057×10−41J
1秒間にできる熱粒子のエネルギーは、
1秒間にできる熱粒子のエネルギー＝1個の熱粒子のエネルギー×1公転でできた熱粒子数×1秒間の公転数＝1.057×10−41J×7.96×107個×(7.96×107)2＝5.331×10−18J
1個の熱粒子の軌道は、
軌道＝熱になる電気の光子の円周÷1公転の自転数＝1.466×10−8ｍ×3.14÷(7.96×107回)＝5.783×10−16ｍ
1個の熱粒子の軌道エネルギーは、
1個の熱粒子の軌道エネルギー＝1個の熱粒子のエネルギー×1個の熱粒子の軌道＝1.057×10−41J×5.783×10−16ｍ＝6.113×10−57Jm
これは、自転軌道エネルギーです。
・太陽の深さ105Ｋｍでは、温度は106℃である。(106℃)1/2=103℃
この場のAは、103です。
温度1℃で、熱になる電気の光子の軌道は、2.073×10−5ｍです。
A=103では、熱になる電気の光子の軌道は、2.073×10−5ｍ÷103＝2.073×10−8ｍです。
1秒間にできる電気の光子の熱エネルギーは、
1秒間にできる電気の光子の熱エネルギー＝1公転で作る電気の光子の熱エネルギー×1秒間の公転数＝1.233×10−41Jm÷(2.073×10−8ｍ)×(7.96×107)2＝3.769×10−18J
この温度は、3.769×10−18J÷(3.769×10−21J)＝103℃
即ち、この場で、熱になる電気の光子の軌道は2.073×10−8ｍです。この電気の光子の軌道は7.96×10７箇所で切れ、このとき、電気の光子のエネルギーが熱エネルギーに変換されます。7.96×10７個の熱粒子ができます。
1個の熱粒子のエネルギーは、
1個の熱粒子のエネルギー＝1公転でできる電気の光子のエネルギー÷1公転の間に切れる箇所＝1.233×10−41Jm÷(2.073×10−8ｍ)÷(7.96×107箇所)＝7.472×10−42J
1秒間にできる熱粒子のエネルギーは、
1秒間にできる熱粒子のエネルギー＝1個の熱粒子のエネルギー×1公転でできた熱粒子数×1秒間の公転数＝7.472×10−42J×7.96×107個×(7.96×107)2＝3.769×10−18J
1個の熱粒子の軌道は、
軌道＝熱になる電気の光子の円周÷1公転の自転数＝2.073×10−8ｍ×3.14÷(7.96×107回)＝8.177×10−16ｍ
1個の熱粒子の軌道エネルギーは、
1個の熱粒子の軌道エネルギー＝1個の熱粒子のエネルギー×1個の熱粒子の軌道＝7.472×10−42J×8.177×10−16ｍ＝6.110×10−57Jm
これは、自転軌道エネルギーです。
・太陽の深さ104Ｋｍでは、温度は105℃である。(105℃)1/2=3.162×102℃
この場のAは、3.162×102です。
温度1℃で、熱になる電気の光子の軌道は、2.073×10−5ｍです。
A=3.162×102では、熱になる電気の光子の軌道は、2.073×10−5ｍ÷(3.162×102)＝6.556×10−8ｍです。
1秒間にできる電気の光子の熱エネルギーは、
1秒間にできる電気の光子の熱エネルギー＝1公転で作る電気の光子の熱エネルギー×1秒間の公転数＝1.233×10−41Jm÷(6.556×10−8ｍ)×(7.96×107)2＝1.192×10−18J
この温度は、1.192×10−18J÷(3.769×10−21J)＝3.163×102℃
即ち、この場で、熱になる電気の光子の軌道は6.556×10−8ｍです。この電気の光子の軌道は7.96×10７箇所で切れ、このとき、電気の光子のエネルギーが熱エネルギーに変換されます。7.96×10７個の熱粒子ができます。
1個の熱粒子のエネルギーは、
1個の熱粒子のエネルギー＝1公転でできる電気の光子のエネルギー÷1公転の間に切れる箇所＝1.233×10−41Jm÷(6.556×10−8ｍ)÷(7.96×107箇所)＝2.363×10−42J
1秒間にできる熱粒子のエネルギーは、
1秒間にできる熱粒子のエネルギー＝1個の熱粒子のエネルギー×1公転でできた熱粒子数×1秒間の公転数＝2.363×10−42J×7.96×107個×(7.96×107)2＝1.192×10−18J
1個の熱粒子の軌道は、
軌道＝熱になる電気の光子の円周÷1公転の自転数＝6.556×10−8ｍ×3.14÷(7.96×107回)＝2.586×10−15ｍ
1個の熱粒子の軌道エネルギーは、
1個の熱粒子の軌道エネルギー＝1個の熱粒子のエネルギー×1個の熱粒子の軌道＝2.363×10−42J×2.586×10−15ｍ＝6.111×10−57Jm
これは、自転軌道エネルギーです。
・太陽の深さ103Ｋｍでは、温度は104℃である。(104℃)1/2=102℃
この場のAは、102です。
温度1℃で、熱になる電気の光子の軌道は、2.073×10−5ｍです。
A=102では、熱になる電気の光子の軌道は、2.073×10−5ｍ÷102＝2.073×10−7ｍです。
1秒間にできる電気の光子の熱エネルギーは、
1秒間にできる電気の光子の熱エネルギー＝1公転で作る電気の光子の熱エネルギー×1秒間の公転数＝1.233×10−41Jm÷(2.073×10−7ｍ)×(7.96×107)2＝3.769×10−19J
この温度は、3.769×10−19J÷(3.769×10−21J)＝102℃
即ち、この場で、熱になる電気の光子の軌道は2.073×10−7ｍです。この電気の光子の軌道は7.96×10７箇所で切れ、このとき、電気の光子のエネルギーが熱エネルギーに変換されます。7.96×10７個の熱粒子ができます。
1個の熱粒子のエネルギーは、
1個の熱粒子のエネルギー＝1公転でできる電気の光子のエネルギー÷1公転の間に切れる箇所＝1.233×10−41Jm÷(2.073×10−7ｍ)÷(7.96×107箇所)＝7.472×10−43J
1秒間にできる熱粒子のエネルギーは、
1秒間にできる熱粒子のエネルギー＝1個の熱粒子のエネルギー×1公転でできた熱粒子数×1秒間の公転数＝7.472×10−43J×7.96×107個×(7.96×107)2＝3.769×10−19J
1個の熱粒子の軌道は、
軌道＝熱になる電気の光子の円周÷1公転の自転数＝2.073×10−7ｍ×3.14÷(7.96×107回)＝8.177×10−15ｍ
1個の熱粒子の軌道エネルギーは、
1個の熱粒子の軌道エネルギー＝1個の熱粒子のエネルギー×1個の熱粒子の軌道＝7.472×10−43J×8.177×10−15ｍ＝6.110×10−57Jm
これは、自転軌道エネルギーです。
・太陽の深さ4×102Ｋｍでは、温度は6.4×103℃である。(6.4×103℃)1/2=80℃
この場のAは、80です。
温度1℃で、熱になる電気の光子の軌道は、2.073×10−5ｍです。
A=80では、熱になる電気の光子の軌道は、2.073×10−5ｍ÷80＝2.591×10−7ｍです。
1秒間にできる電気の光子の熱エネルギーは、
1秒間にできる電気の光子の熱エネルギー＝1公転で作る電気の光子の熱エネルギー×1秒間の公転数＝1.233×10−41Jm÷(2.591×10−7ｍ)×(7.96×107)2＝3.015×10−19J
この温度は、3.015×10−19J÷(3.769×10−21J)＝7.999×10℃
即ち、この場で、熱になる電気の光子の軌道は2.591×10−7ｍです。この電気の光子の軌道は7.96×10７箇所で切れ、このとき、電気の光子のエネルギーが熱エネルギーに変換されます。7.96×10７個の熱粒子ができます。
1個の熱粒子のエネルギーは、
1個の熱粒子のエネルギー＝1公転でできる電気の光子のエネルギー÷1公転の間に切れる箇所＝1.233×10−41Jm÷(2.591×10−7ｍ)÷(7.96×107箇所)＝5.978×10−43J
1秒間にできる熱粒子のエネルギーは、
1秒間にできる熱粒子のエネルギー＝1個の熱粒子のエネルギー×1公転でできた熱粒子数×1秒間の公転数＝5.978×10−43J×7.96×107個×(7.96×107)2＝3.015×10−19J
1個の熱粒子の軌道は、
軌道＝熱になる電気の光子の円周÷1公転の自転数＝2.591×10−7ｍ×3.14÷(7.96×107回)＝1.022×10−14ｍ
1個の熱粒子の軌道エネルギーは、
1個の熱粒子の軌道エネルギー＝1個の熱粒子のエネルギー×1個の熱粒子の軌道＝5.978×10−43J×1.022×10−14ｍ＝6.110×10−57Jm
これは、自転軌道エネルギーです。
・太陽の深さ1Ｋｍでは、温度は4.3×103℃である。(4.3×103℃)1/2=65.574℃
この場のAは、65.574です。
温度1℃で、熱になる電気の光子の軌道は、2.073×10−5ｍです。
A=65.574では、熱になる電気の光子の軌道は、2.073×10−5ｍ÷65.574＝3.161×10−7ｍです。
1秒間にできる電気の光子の熱エネルギーは、
1秒間にできる電気の光子の熱エネルギー＝1公転で作る電気の光子の熱エネルギー×1秒間の公転数＝1.233×10−41Jm÷(3.161×10−7ｍ)×(7.96×107)2＝2.472×10−19J
この温度は、2.472×10−19J÷(3.769×10−21J)＝6.559×10℃
即ち、この場で、熱になる電気の光子の軌道は3.161×10−7ｍです。この電気の光子の軌道は7.96×10７箇所で切れ、このとき、電気の光子のエネルギーが熱エネルギーに変換されます。7.96×10７個の熱粒子ができます。
1個の熱粒子のエネルギーは、
1個の熱粒子のエネルギー＝1公転でできる電気の光子のエネルギー÷1公転の間に切れる箇所＝1.233×10−41Jm÷(3.161×10−7ｍ)÷(7.96×107箇所)＝4.900×10−43J
1秒間にできる熱粒子のエネルギーは、
1秒間にできる熱粒子のエネルギー＝1個の熱粒子のエネルギー×1公転でできた熱粒子数×1秒間の公転数＝4.900×10−43J×7.96×107個×(7.96×107)2＝2.471×10−19J
1個の熱粒子の軌道は、
軌道＝熱になる電気の光子の円周÷1公転の自転数＝3.161×10−7ｍ×3.14÷(7.96×107回)＝1.247×10−14ｍ
1個の熱粒子の軌道エネルギーは、
1個の熱粒子の軌道エネルギー＝1個の熱粒子のエネルギー×1個の熱粒子の軌道＝4.900×10−43J×1.247×10−14ｍ＝6.110×10−57Jm
これは、自転軌道エネルギーです。
４．  万有引力定数とは何か。
万有引力定数から算出する、1原子でできる引力は、1.356×10−32Jmです。
私はこれをただの引力、1原子でできる引力として表現しています。
万有引力定数(＝引力)とは、1秒間にできる磁気の光子のエネルギー×自転軌道、です。
(引力は、1秒間にできる磁気の光子の軌道エネルギーである事は、2008年2月2日に提出した、特願2008−51218．「熱と引力と地球の引力」の「請求項8」に記した。)
今回は、2006年11月15日に提出した、特願2006−336352.「素粒子の軌道質量と引力と熱」に記したデーターを使用する。
1原子でできる引力は、1.356×10−32Jmです。
電子のラブの場合。
電子のラブが1秒間に作る磁気の光子のエネルギーは、
ボーア磁子＝9.274×10−24J/T     
T=7.96×107、ですから、    
電子のラブが1秒間に作る磁気の光子のエネルギー＝ボーア磁子×T=9.274×10−24J/T×7.96×107＝7.382×10−16J
電子のラブが1秒間に作る磁気の光子のエネルギーは、7.382×10−16Jです。
電子のラブの自転軌道は、
電子のラブの自転軌道＝電子のラブの円周÷1公転する時の自転回数＝電子のラブの公転軌道×3.14÷1公転する時の自転回数＝1.058×10−10ｍ×3.14÷(7.96×107回)＝4.174×10−18ｍ
電子のラブの自転軌道は、4.174×10−18ｍです。
それで、
電子のラブが1秒間に作る磁気の光子のエネルギー×自転軌道は、
電子のラブが1秒間に作る磁気の光子のエネルギー×電子のラブの自転軌道＝7.382×10−16J×4.174×10−18ｍ＝3.081×10−33Jm
電子のラブが1秒間に作る磁気の光子のエネルギー×自転軌道は、3.081×10−33Jmです。
この電子のラブが1秒間に作る磁気の光子のエネルギー×自転軌道が引力になっている。
陽子のラブの場合。
陽子のラブが1秒間に作る磁気の光子のエネルギーは、
核磁子＝5.05×10−27J/T      T=7.96×107、ですから、
陽子のラブが1秒間に作る磁気の光子のエネルギー＝核磁子×T=5.05×10−27J×7.96×107＝4.02×10−19J
陽子のラブが1秒間に作る磁気の光子のエネルギーは、4.02×10−19Jです。
陽子のラブの自転軌道は、
陽子のラブの自転軌道＝陽子のラブの公転軌道×3.14÷1公転する時の自転回数＝5.777×10−14ｍ×3.14÷(4.34×104回)＝4.18×10−18ｍ、です。
陽子のラブの自転軌道は、4.18×10−18ｍです。
それで、
陽子のラブが1秒間に作る磁気の光子のエネルギー×自転軌道は、
陽子のラブが1秒間に作る磁気の光子のエネルギー×陽子のラブの自転軌道＝4.02×10−19J×4.18×10−18ｍ＝1.680×10−36Jm
陽子のラブが1秒間に作る磁気の光子のエネルギー×自転軌道は、1.680×10−36Jmです。
よって、原子が1秒間に作る磁気の光子のエネルギー×自転軌道は、電子のラブが作っているとみなす事ができる。
１原子でできる引力は、電子のラブが1秒間に作る磁気の光子のエネルギー×自転軌道、です。
1原子でできる引力は、1.356×10−32Jです。
私の計算による、1原子でできる引力は、電子のラブが1秒間に作る磁気の光子のエネルギー×自転軌道であり、3.081×10−33Jmです。
1原子でできる引力は、私の計算による1原子でできる引力の、
1.356×10−32Jｍ÷(3.081×10−33Jm)＝4.401(倍)です。
しかし、
引力の単位は、Jmであり、引力は磁気の光子でできる物ですから、引力は磁気の光子の軌道エネルギーです。
磁気の光子は電子のラブの自転によってできた物ですから、自転軌道エネルギーです。
電気の光子は、熱になるとき、約108箇所で切れ、磁気の光子が独立します。
磁気の光子は独立し、自転軌道エネルギー体になります。
この磁気の光子の1秒間にできるエネルギー×自転軌道体が引力になります。
それで、磁気の光子が独立する時、軌道を4.4倍にすると考えます。
その事によって、
磁気の光子の自転軌道は、4.174×10−18ｍ×4.4＝1.837×10−17ｍに成ります。
引力＝1原子が1秒間に作る磁気の光子のエネルギー×独立した磁気の光子の自転軌道＝7.382×10−16J×1.837×10−17ｍ＝1.356×10−32Jｍ
５．  高エネルギーの場において、電子のラブが1秒間に作る磁気の光子のエネルギー×自転軌道の値はどのようになるか。引力は質量でできると考えられる理由について。
地表において、電子のラブの公転軌道は、1.058×10−10ｍです。
電子のラブの自転軌道は、4.175×10−18ｍです。
電子のラブが1公転で作る磁気の光子7.96×107個のエネルギーは、1.165×10−31J、です。
電子のラブが1秒間に作る磁気の光子のエネルギーは、7.382×10−16J、です。
それで、Aの場(地表のA倍のエネルギーの場)において、
電子のラブの公転軌道は、1.058×10−10ｍ÷A、です。
電子のラブの自転軌道は、4.175×10−18ｍ÷A、です。
電子のラブが1公転で作る磁気の光子7.96×107個のエネルギーは、1.165×10−31J×A、です。
電子のラブが1秒間に作る磁気の光子のエネルギーは、7.382×10−16J×A、です。
高エネルギーの場において、
電子のラブが1秒間に作る磁気の光子のエネルギー×自転軌道＝7.382×10−16J×A×4.175×10−18ｍ÷A＝7.382×10−16J×4.175×10−18ｍ＝3.082×10−33J、です。
この事によって理解できる事。
1.高エネルギーの場において(低エネルギーの場においても)、引力である、電子のラブが1秒間に作る磁気の光子のエネルギー×自転軌道＝3.082×10−33J、である。
2. 私が計算して求めた電子のラブが1秒間に作る磁気の光子のエネルギー×自転軌道＝3.082×10−33Jを1.356×10−32Jmとみなす。
3.磁気の光子が独立する時、軌道を4.4倍にする、と考えると、独立した磁気の光子の自転軌道は、自転軌道×4.4となる。それで、独立した磁気の光子の自転軌道×1秒間にできる磁気の光子のエネルギー＝7.382×10−16J×A×4.175×10−18ｍ×4.4÷A＝7.382×10−16J×4.175×10−18ｍ×4.4＝3.082×10−33J×4.4＝1.356×10−32Jm、となる。
3.引力はどのようなエネルギーの場でも変わらない。1原子でできる引力は、どのような高エネルギーの場においても、低エネルギーの場においても、1.356×10−32Jｍである。
4.即ち、1原子が作る引力はどのようなエネルギーの場においても、1.356×10−32Jｍである。１Kgでできる引力はどのようなエネルギーの場においても、(6.672×10−11Jm)1/2=8.168×10−6Jm、である。
６．  地球の中において、熱になる電気の光子の軌道はいくらか。自転軌道はいくらか。磁気の光子が独立後の自転軌道はいくらか。1秒間にできる磁気の光子のエネルギーはいくらか。引力はいくらか。磁気の光子1個のエネルギーはいくらか。引力になる磁気の光子の自転軌道エネルギーはいくらか。
引力は、磁気の光子が1個1個独立したとき、できる、1原子で1秒間にできた磁気の光子のエネルギー×独立した磁気の光子の自転軌道＝1原子で1秒間にできた磁気の光子のエネルギー×磁気の光子の自転軌道×4.4、です。
・地下6500Ｋｍでは、温度は7600K＝7327℃である。この場のAは、85.6です。
A=85.6では、熱になる電気の光子の軌道は、2.073×10−5ｍ÷85.6＝2.422×10−7ｍです。
自転軌道＝熱になる電気の光子の円周÷1公転の自転数＝2.422×10−7ｍ×3.14÷(7.96×107回)＝9.554×10−15ｍ。
独立した磁気の光子の自転軌道＝自転軌道×4.4＝9.554×10−15ｍ×4.4＝4.204×10−14ｍ。
1秒間にできる磁気の光子のエネルギー＝1秒間にできる電気の光子の熱エネルギー＝3.226×10−19J
よって、この場の引力＝1秒間にできる磁気の光子のエネルギー×独立した磁気の光子の自転軌道＝3.226×10−19J×4.204×10−14ｍ＝1.356×10−32Jm。  
磁気の光子1個のエネルギー＝1個の熱粒子のエネルギー＝6.396×10−43J
独立した磁気の光子の自転軌道＝4.204×10−14ｍ
引力になる1個の磁気の光子の自転軌道エネルギー＝6.396×10−43J×4.204×10−14ｍ＝2.689×10−56Jm
この値は、2006年11月15日に提出した、特願2006−336352.のデーターである、電子のラブが1自転して作る磁気の光子1個の自転軌道エネルギー、6.112×10−57Jmの、
2.689×10−56Jm÷(6.112×10−57Jm)＝4.4倍です。
これは、独立後の磁気の光子の自転軌道を自転軌道の4.4倍にしたためです。
・地下6000Ｋｍでは、温度は6000℃である。この場のAは、77.46です。
温度1℃で、熱になる電気の光子の軌道は、2.073×10−5ｍです。
A=77.46では、熱になる電気の光子の軌道は、2.073×10−5ｍ÷77.46＝2.676×10−7ｍです。
自転軌道＝熱になる電気の光子の円周÷1公転の自転数＝2.676×10−7ｍ×3.14÷(7.96×107回)＝1.056×10−14ｍ。
独立した磁気の光子の自転軌道＝自転軌道×4.4＝1.056×10−15ｍ×4.4＝4.646×10−14ｍ。
1秒間にできる磁気の光子のエネルギー＝1秒間にできる電気の光子の熱エネルギー＝2.919×10−19J 
よって、この場の引力＝1秒間にできる磁気の光子のエネルギー×独立した磁気の光子の自転軌道＝2.919×10−19J×4.646×10−14ｍ＝1.356×10−32Jm。
磁気の光子1個のエネルギー＝1個の熱粒子のエネルギー＝5.788×10−43J
独立した磁気の光子の自転軌道＝4.646×10−14ｍ
引力になる1個の磁気の光子の自転軌道エネルギー＝5.788×10−43J×4.646×10−14ｍ＝2.689×10−56Jm
この値は、自転軌道エネルギー、6.112×10−57Jmの4.4倍です。
・地下5000Ｋｍでは、温度は5000℃である。この場のAは、70.71です。
温度1℃で、熱になる電気の光子の軌道は、2.073×10−5ｍです。
A=70.71では、熱になる電気の光子の軌道は、2.073×10−5ｍ÷70.71＝2.932×10−7ｍです。
自転軌道＝熱になる電気の光子の円周÷1公転の自転数＝2.932×10−7ｍ×3.14÷(7.96×107回)＝1.157×10−14ｍ
独立した磁気の光子の自転軌道＝自転軌道×4.4＝1.157×10−15ｍ×4.4＝5.089×10−14ｍ。
1秒間にできる磁気の光子のエネルギー＝1秒間にできる電気の光子のエネルギー＝2.665×10−19J 
よって、この場の引力＝1秒間にできる磁気の光子のエネルギー×独立した磁気の光子の自転軌道＝2.665×10−19J×5.089×10−14ｍ＝1.356×10−32Jm。
磁気の光子1個のエネルギー＝1個の熱粒子のエネルギー＝5.283×10−43J
独立した磁気の光子の自転軌道＝5.089×10−14ｍ
引力になる磁気の光子の自転軌道エネルギー＝5.283×10−43J×5.089×10−14ｍ＝2.689×10−56Jｍ
この値は、自転軌道エネルギー、6.112×10−57Jmの4.4倍です。
・地下4000Ｋｍでは、温度は4000℃である。この場のAは、63.25です。
温度1℃で、熱になる電気の光子の軌道は、2.073×10−5ｍです。
A=70.71では、熱になる電気の光子の軌道は、2.073×10−5ｍ÷63.25＝3.277×10−7ｍです。
自転軌道＝熱になる電気の光子の円周÷1公転の自転数＝3.277×10−7ｍ×3.14÷(7.96×107回)＝1.293×10−14ｍ
独立した磁気の光子の自転軌道＝自転軌道×4.4＝1.293×10−15ｍ×4.4＝5.688×10−14ｍ。
1秒間にできる磁気の光子のエネルギー＝1秒間にできる電気の光子の熱エネルギー＝2.384×10−19J 
よって、この場の引力＝1秒間にできる磁気の光子のエネルギー×独立した磁気の光子の自転軌道＝2.384×10−19J×5.688×10−14ｍ＝1.356×10−32Jm。
磁気の光子1個のエネルギー＝1個の熱粒子のエネルギー＝4.727×10−43J
独立した磁気の光子の自転軌道＝5.688×10−14ｍ
引力になる1個の磁気の光子の自転軌道エネルギー＝4.727×10−43J×5.688×10−14ｍ＝2.689×10−56Jｍ
この値は、自転軌道エネルギー、6.112×10−57Jmの4.4倍です。
・地下3000Ｋｍでは、温度は3000℃である。この場のAは、54.77です。
温度1℃で、熱になる電気の光子の軌道は、2.073×10−5ｍです。
A=70.71では、熱になる電気の光子の軌道は、2.073×10−5ｍ÷54.77＝3.785×10−7ｍです。
自転軌道＝熱になる電気の光子の円周÷1公転の自転数＝3.785×10−7ｍ×3.14÷(7.96×107回)＝1.493×10−14ｍ
独立した磁気の光子の自転軌道＝自転軌道×4.4＝1.493×10−14ｍ×4.4＝6.570×10−14ｍ。
1秒間にできる磁気の光子のエネルギー＝1秒間にできる電気の光子の熱エネルギー＝2.064×10−19J 
よって、この場の引力＝1秒間にできる磁気の光子のエネルギー×独立した磁気の光子の自転軌道＝2.064×10−19J×6.570×10−14ｍ＝1.356×10−32Jm。
磁気の光子1個のエネルギー＝1個の熱粒子のエネルギー＝4.092×10−43J
独立した磁気の光子の自転軌道＝6.570×10−14ｍ
引力になる1個の磁気の光子の自転軌道エネルギー＝4.092×10−43J×6.570×10−14ｍ＝2.688×10−56Jｍ
この値は、自転軌道エネルギー、6.112×10−57Jmの4.4倍です。
・地下2000Ｋｍでは、温度は2000℃である。この場のAは、44.72です。
温度1℃で、熱になる電気の光子の軌道は、2.073×10−5ｍです。
A=70.71では、熱になる電気の光子の軌道は、2.073×10−5ｍ÷44.72＝4.636×10−7ｍです。
自転軌道＝熱になる電気の光子の円周÷1公転の自転数＝4.636×10−7ｍ×3.14÷(7.96×107回)＝1.829×10−14ｍ。
独立した磁気の光子の自転軌道＝自転軌道×4.4＝1.829×10−14ｍ×4.4＝8.047×10−14ｍ。
1秒間にできる磁気の光子のエネルギー＝1秒間にできる電気の光子の熱エネルギー＝1.685×10−19J 
よって、この場の引力＝1秒間にできる磁気の光子のエネルギー×独立した磁気の光子の自転軌道＝1.685×10−19J×8.047×10−14ｍ＝1.356×10−32Jm。
磁気の光子1個のエネルギー＝1個の熱粒子のエネルギー＝3.341×10−43J
独立した磁気の光子の自転軌道＝8.047×10−14ｍ
引力になる1個の磁気の光子の自転軌道エネルギー＝3.341×10−43J×8.047×10−14ｍ＝2.689×10−56Jｍ
この値は、自転軌道エネルギー、6.112×10−57Jmの4.4倍です。
・地下1000Ｋｍでは、温度は1000℃である。この場のAは、31.62です。
温度1℃で、熱になる電気の光子の軌道は、2.073×10−5ｍです。
A=70.71では、熱になる電気の光子の軌道は、2.073×10−5ｍ÷31.62＝6.556×10−7ｍです。
自転軌道＝熱になる電気の光子の円周÷1公転の自転数＝6.556×10−7ｍ×3.14÷(7.96×107回)＝2.586×10−14ｍ
独立した磁気の光子の自転軌道＝自転軌道×4.4＝2.586×10−14ｍ×4.4＝1.138×10−13ｍ。
1秒間にできる磁気の光子のエネルギー＝1秒間にできる電気の光子の熱エネルギー＝1.192×10−19J 
よって、この場の引力＝1秒間にできる磁気の光子のエネルギー×独立した磁気の光子の自転軌道＝1.192×10−19J×1.138×10−13ｍ＝1.356×10−32Jm。
磁気の光子1個のエネルギー＝1個の熱粒子のエネルギー＝2.363×10−43J
独立した磁気の光子の自転軌道＝1.138×10−13ｍ
引力になる1個の磁気の光子の自転軌道エネルギー＝2.363×10−43J×1.138×10−13ｍ＝2.689×10−56Jｍ
この値は、自転軌道エネルギー、6.112×10−57Jmの4.4倍です。
７．  太陽の深さにおいて、熱になる電気の光子の軌道はいくらか。自転軌道はいくらか。独立した磁気の光子の自転軌道はいくらか。1秒間にできる磁気の光子のエネルギーはいくらか。引力はいくらか。磁気の光子1個のエネルギーはいくらか。引力になる磁気の光子の自転軌道エネルギーはいくらか。
引力は、磁気の光子が1個1個独立したとき、できる、1秒間にできた磁気の光子のエネルギー×独立した磁気の光子の自転軌道＝1秒間にできた磁気の光子のエネルギー×磁気の光子の自転軌道×4.4、です。
・太陽の深さ7×105Ｋｍでは、温度は15×106℃である。(15×106℃)1/2=3.873×103℃
この場のAは、3.873×103です。
温度1℃で、熱になる電気の光子の軌道は、2.073×10−5ｍです。
A=3.873×103では、熱になる電気の光子の軌道は、2.073×10−5ｍ÷(3.873×103)＝5.352×10−9ｍです。
自転軌道＝熱になる電気の光子の円周÷1公転の自転数＝5.352×10−9ｍ×3.14÷(7.96×107回)＝2.111×10−16ｍ。
独立した磁気の光子の自転軌道＝自転軌道×4.4＝2.111×10−16ｍ×4.4＝9.288×10−16ｍ。
1秒間にできる磁気の光子のエネルギー＝1秒間にできる電気の光子の熱エネルギー＝1.460×10−17J 
よって、この場の引力＝1秒間にできる磁気の光子のエネルギー×独立した磁気の光子の自転軌道＝1.460×10−17J×9.288×10−16ｍ＝1.356×10−32Jm。
磁気の光子1個のエネルギー＝1個の熱粒子のエネルギー＝2.894×10−41J
独立した磁気の光子の自転軌道＝9.288×10−16ｍ
引力になる1個の磁気の光子の自転軌道エネルギー＝2.894×10−41J×9.288×10−16ｍ＝2.688×10−56Jｍ
この値は、自転軌道エネルギー、6.112×10−57Jmの4.4倍です。
・太陽の深さ5×105Ｋｍでは、温度は11.7×106℃である。(11.7×106℃)1/2=3.428×103℃
この場のAは、3.428×103です。
温度1℃で、熱になる電気の光子の軌道は、2.073×10−5ｍです。
A=3.428×103では、熱になる電気の光子の軌道は、2.073×10−5ｍ÷(3.428×103)＝6.047×10−9ｍです。
自転軌道＝熱になる電気の光子の円周÷1公転の自転数＝6.047×10−9ｍ×3.14÷(7.96×107回)＝2.385×10−16ｍ
独立した磁気の光子の自転軌道＝自転軌道×4.4＝2.385×10−16ｍ×4.4＝1.049×10−15ｍ。
1秒間にできる磁気の光子のエネルギー＝1秒間にできる電気の光子の熱エネルギー＝ 1.292×10−17J
よって、この場の引力＝1秒間にできる磁気の光子のエネルギー×独立した磁気の光子の自転軌道＝1.292×10−17J×1.049×10−15ｍ＝1.355×10−32Jm。
磁気の光子1個のエネルギー＝1個の熱粒子のエネルギー＝2.562×10−41J
独立した磁気の光子の自転軌道＝1.049×10−15ｍ
引力になる1個の磁気の光子の自転軌道エネルギー＝2.562×10−41J×1.049×10−15ｍ＝2.688×10−56Jｍ
この値は、自転軌道エネルギー、6.112×10−57Jmの4.4倍です。
・太陽の深さ4×105Ｋｍでは、温度は8.5×106℃である。(8.5×106℃)1/2=2.915×103℃
この場のAは、2.915×103です。
温度1℃で、熱になる電気の光子の軌道は、2.073×10−5ｍです。
A=2.915×103では、熱になる電気の光子の軌道は、2.073×10−5ｍ÷(2.915×103)＝7.111×10−9ｍです。
自転軌道＝熱になる電気の光子の円周÷1公転の自転数＝7.111×10−9ｍ×3.14÷(7.96×107回)＝2.805×10−16ｍ
独立した磁気の光子の自転軌道＝自転軌道×4.4＝2.805×10−16ｍ×4.4＝1.234×10−15ｍ。
1秒間にできる磁気の光子のエネルギー＝1秒間にできる電気の光子の熱エネルギー＝ 1.099×10−17J 
よって、この場の引力＝1秒間にできる磁気の光子のエネルギー×独立した磁気の光子の自転軌道＝1.099×10−17J×1.234×10−15ｍ＝1.356×10−32Jm。
磁気の光子1個のエネルギー＝1個の熱粒子のエネルギー＝2.178×10−41J
独立した磁気の光子の自転軌道＝1.234×10−15ｍ
引力になる1個の磁気の光子の自転軌道エネルギー＝2.178×10−41J×1.234×10−15ｍ＝2.688×10−56Jｍ
この値は、自転軌道エネルギー、6.112×10−57Jmの4.4倍です。
・太陽の深さ3×105Ｋｍでは、温度は5.25×106℃である。(5.25×106℃)1/2=2.291×103℃
この場のAは、2.291×103です。
温度1℃で、熱になる電気の光子の軌道は、2.073×10−5ｍです。
A=2.291×103では、熱になる電気の光子の軌道は、2.073×10−5ｍ÷(2.291×103)＝9.048×10−9ｍです。
自転軌道＝熱になる電気の光子の円周÷1公転の自転数＝9.048×10−9ｍ×3.14÷(7.96×107回)＝3.569×10−16ｍ
独立した磁気の光子の自転軌道＝自転軌道×4.4＝3.569×10−16ｍ×4.4＝1.570×10−15ｍ。
1秒間にできる磁気の光子のエネルギー＝1秒間にできる電気の光子の熱エネルギー＝ 8.634×10−18J  
よって、この場の引力＝1秒間にできる磁気の光子のエネルギー×独立した磁気の光子の自転軌道＝8.634×10−18J×1.570×10−15ｍ＝1.356×10−32Jm。
磁気の光子1個のエネルギー＝1個の熱粒子のエネルギー＝1.712×10−41J
独立した磁気の光子の自転軌道＝1.570×10−15ｍ
引力になる1個の磁気の光子の自転軌道エネルギー＝1.712×10−41J×1.570×10−15ｍ＝2.688×10−56Jｍ
この値は、自転軌道エネルギー、6.112×10−57Jmの4.4倍です。
・太陽の深さ2×105Ｋｍでは、温度は2×106℃である。(2×106℃)1/2=1.414×103℃
この場のAは、1.414×103です。
温度1℃で、熱になる電気の光子の軌道は、2.073×10−5ｍです。
A=1.414×103では、熱になる電気の光子の軌道は、2.073×10−5ｍ÷(1.414×103)＝1.466×10−8ｍです。
自転軌道＝熱になる電気の光子の円周÷1公転の自転数＝1.466×10−8ｍ×3.14÷(7.96×107回)＝5.783×10−16ｍ。
独立した磁気の光子の自転軌道＝自転軌道×4.4＝5.783×10−16ｍ×4.4＝2.545×10−15ｍ。
1秒間にできる磁気の光子のエネルギー＝1秒間にできる電気の光子の熱エネルギー＝ 5.329×10−18J
よって、この場の引力＝1秒間にできる磁気の光子のエネルギー×独立した磁気の光子の自転軌道＝5.329×10−18J×2.545×10−15ｍ＝1.356×10−32Jm。
磁気の光子1個のエネルギー＝1個の熱粒子のエネルギー＝1.057×10−41J
独立した磁気の光子の自転軌道＝2.545×10−15ｍ
引力になる1個の磁気の光子の自転軌道エネルギー＝1.057×10−41J×2.545×10−15ｍ＝2.690×10−56Jｍ
この値は、自転軌道エネルギー、6.112×10−57Jmの4.4倍です。
・太陽の深さ105Ｋｍでは、温度は106℃である。(106℃)1/2=103℃
この場のAは、103です。
温度1℃で、熱になる電気の光子の軌道は、2.073×10−5ｍです。
A=103では、熱になる電気の光子の軌道は、2.073×10−5ｍ÷103＝2.073×10−8ｍです。
自転軌道＝熱になる電気の光子の円周÷1公転の自転数＝2.073×10−8ｍ×3.14÷(7.96×107回)＝8.177×10−16ｍ
独立した磁気の光子の自転軌道＝自転軌道×4.4＝8.177×10−16ｍ×4.4＝3.598×10−15ｍ。
1秒間にできる磁気の光子のエネルギー＝1秒間にできる電気の光子の熱エネルギー＝3.769×10−18J  
よって、この場の引力＝1秒間にできる磁気の光子のエネルギー×独立した磁気の光子の自転軌道＝3.769×10−18J×3.598×10−15ｍ＝1.356×10−32Jm。
磁気の光子1個のエネルギー＝1個の熱粒子のエネルギー＝7.472×10−42J
独立した磁気の光子の自転軌道＝3.598×10−15ｍ
引力になる1個の磁気の光子の自転軌道エネルギー＝7.472×10−42J×3.598×10−15ｍ＝2.688×10−56Jｍ
この値は、自転軌道エネルギー、6.112×10−57Jmの4.4倍です。
・太陽の深さ104Ｋｍでは、温度は105℃である。(105℃)1/2=3.162×102℃
この場のAは、3.162×102です。
温度1℃で、熱になる電気の光子の軌道は、2.073×10−5ｍです。
A=3.162×102では、熱になる電気の光子の軌道は、2.073×10−5ｍ÷(3.162×102)＝6.556×10−8ｍです。
自転軌道＝熱になる電気の光子の円周÷1公転の自転数＝6.556×10−8ｍ×3.14÷(7.96×107回)＝2.586×10−15ｍ
独立した磁気の光子の自転軌道＝自転軌道×4.4＝2.586×10−15ｍ×4.4＝1.138×10−14ｍ。
1秒間にできる磁気の光子のエネルギー＝1秒間にできる電気の光子の熱エネルギー＝1.192×10−18J   
よって、この場の引力＝1秒間にできる磁気の光子のエネルギー×独立した磁気の光子の自転軌道＝1.192×10−18J×1.138×10−15ｍ＝1.356×10−32Jm。
磁気の光子1個のエネルギー＝1個の熱粒子のエネルギー＝2.363×10−42J 
独立した磁気の光子の自転軌道＝1.138×10−14ｍ
引力になる1個の磁気の光子の自転軌道エネルギー＝2.363×10−42J×1.138×10−14ｍ＝2.689×10−56Jｍ
この値は、自転軌道エネルギー、6.112×10−57Jmの4.4倍です。
・太陽の深さ103Ｋｍでは、温度は104℃である。(104℃)1/2=102℃
この場のAは、102です。
温度1℃で、熱になる電気の光子の軌道は、2.073×10−5ｍです。
A=102では、熱になる電気の光子の軌道は、2.073×10−5ｍ÷102＝2.073×10−7ｍです。
自転軌道＝熱になる電気の光子の円周÷1公転の自転数＝2.073×10−7ｍ×3.14÷(7.96×107回)＝8.177×10−15ｍ
独立した磁気の光子の自転軌道＝自転軌道×4.4＝8.177×10−15ｍ×4.4＝3.598×10−14ｍ。
1秒間にできる磁気の光子のエネルギー＝1秒間にできる電気の光子の熱エネルギー＝3.769×10−19J    
よって、この場の引力＝1秒間にできる磁気の光子のエネルギー×独立した磁気の光子の自転軌道＝3.769×10−19J×3.598×10−14ｍ＝1.356×10−32J
磁気の光子1個のエネルギー＝1個の熱粒子のエネルギー＝7.472×10−43J 
独立した磁気の光子の自転軌道＝3.598×10−14ｍ
引力になる1個の磁気の光子の自転軌道エネルギー＝7.472×10−43J×3.598×10−14ｍ＝2.688×10−56Jｍ
この値は、自転軌道エネルギー、6.112×10−57Jmの4.4倍です。
・太陽の深さ4×102Ｋｍでは、温度は6.4×103℃である。(6.4×103℃)1/2=80℃
この場のAは、80です。
温度1℃で、熱になる電気の光子の軌道は、2.073×10−5ｍです。
A=80では、熱になる電気の光子の軌道は、2.073×10−5ｍ÷80＝2.591×10−7ｍです。
自転軌道＝熱になる電気の光子の円周÷1公転の自転数＝2.591×10−7ｍ×3.14÷(7.96×107回)＝1.022×10−14ｍ
独立した磁気の光子の自転軌道＝自転軌道×4.4＝1.022×10−14ｍ×4.4＝4.497×10−14ｍ。
1秒間にできる磁気の光子のエネルギー＝1秒間にできる電気の光子の熱エネルギー＝3.015×10−19J    
よって、この場の引力＝1秒間にできる磁気の光子のエネルギー×独立した磁気の光子の自転軌道＝3.015×10−19J×4.497×10−14ｍ＝1.356×10−32Jm。
磁気の光子1個のエネルギー＝1個の熱粒子のエネルギー＝ 5.978×10−43J
独立した磁気の光子の自転軌道＝4.497×10−14ｍ
引力になる1個の磁気の光子の自転軌道エネルギー＝5.978×10−43J×4.497×10−14ｍ＝2.688×10−56Jｍ
この値は、自転軌道エネルギー、6.112×10−57Jmの4.4倍です。
・太陽の深さ1Ｋｍでは、温度は4.3×103℃である。(4.3×103℃)1/2=65.574℃
この場のAは、65.574です。
温度1℃で、熱になる電気の光子の軌道は、2.073×10−5ｍです。
A=65.574では、熱になる電気の光子の軌道は、2.073×10−5ｍ÷65.574＝3.161×10−7ｍです。
自転軌道＝熱になる電気の光子の円周÷1公転の自転数＝3.161×10−7ｍ×3.14÷(7.96×107回)＝1.247×10−14ｍ
独立した磁気の光子の自転軌道＝自転軌道×4.4＝1.247×10−14ｍ×4.4＝5.486×10−14ｍ。
1秒間にできる磁気の光子のエネルギー＝1秒間にできる電気の光子の熱エネルギー＝2.472×10−19J    
よって、この場の引力＝1秒間にできる磁気の光子のエネルギー×独立した磁気の光子の自転軌道＝2.472×10−19J×5.486×10−14ｍ＝1.356×10−32Jm。
磁気の光子1個のエネルギー＝1個の熱粒子のエネルギー＝ 4.900×10−43J
独立した磁気の光子の自転軌道＝5.486×10−14ｍ
引力になる1個の磁気の光子の自転軌道エネルギー＝4.900×10−43J×5.486×10−14ｍ＝2.688×10−56Jｍ
この値は、自転軌道エネルギー、6.112×10−57Jmの4.4倍です。
表1
2009207352.tif 000003
表2
2009207352.tif 000004
８．  どのようなエネルギーの場においても、1個の熱粒子の軌道エネルギーは、6.112×10−57Jmで、一定です。これを一般式で示す。
この場を地表のA倍のエネルギーの場とします。
温度1℃で、熱になる電気の光子の軌道は、2.073×10−5ｍです。
熱になる電気の光子の軌道は、2.073×10−5ｍ÷Aです。
1秒間にできる電気の光子のエネルギーは、
1秒間にできる電気の光子のエネルギー＝1公転で作る電気の光子のエネルギー×1秒間の公転数＝1.233×10−41Jm÷(2.073×10−5ｍ÷A)×(7.96×107)2＝3.769×10−21J×A＝A℃
熱粒子１個のエネルギーは、
熱粒子のエネルギー＝1公転でできる電気の光子のエネルギー÷1公転の間に切れる箇所＝1.233×10−41Jm÷(2.073×10−5ｍ÷A)÷(7.96×107箇所)＝7.472×10−45J×A
熱粒子１個のエネルギー＝1秒間にできる熱粒子のエネルギー÷1秒間の自転数＝1.233×10−41Jm÷(2.073×10−5ｍ÷A)×(7.96×107)2÷(7.96×107)3＝7.472×10−45J×A
熱粒子の軌道は、
軌道＝熱になる電気の光子の円周÷1公転の自転数＝2.073×10−5ｍ÷A×3.14÷(7.96×107回)＝8.177×10−13ｍ÷A
1個の熱粒子の軌道エネルギーは、
1個の熱粒子の軌道エネルギー＝1個の熱粒子のエネルギー×1個の熱粒子の軌道＝7.472×10−45J×A×8.177×10−13ｍ÷A＝6.110×1057Jm
これは、自転軌道エネルギーです。
９．  どのようなエネルギーの場においても、引力を作る1個の磁気の光子の軌道エネルギーは、2.688×10−56Jmで、一定です。これを一般式で示す。
この場を地表のA倍のエネルギーの場とします。
温度1℃で、熱になる電気の光子の軌道は、2.073×10−5ｍです。
熱になる電気の光子の軌道は、2.073×10−5ｍ÷Aです。
1秒間にできる磁気の光子のエネルギーは、
1秒間にできる磁気の光子のエネルギー＝1公転で作る磁気の光子のエネルギー×1秒間の公転数＝1.233×10−41Jm÷(2.073×10−5ｍ÷A)×(7.96×107)2＝3.769×10−21J×A
磁気の光子1個のエネルギーは、
磁気の光子1個のエネルギー＝1公転でできる磁気の光子のエネルギー÷1公転の自転数＝1.233×10−41Jm÷(2.073×10−5ｍ÷A)÷(7.96×107個)＝7.472×10−45J×A
磁気の光子の自転軌道は、
磁気の光子の自転軌道＝熱になる電気の光子の円周÷1公転の自転数＝2.073×10−5ｍ÷A×3.14÷(7.96×107回)＝8.177×10−13ｍ÷A
独立した磁気の光子の自転軌道＝磁気の光子の自転軌道×4.4＝8.177×10−13ｍ÷A×4.4＝3.598×10−12ｍ÷A
磁気の光子の自転軌道エネルギーは、
引力になる1個の磁気の光子の自転軌道エネルギー＝磁気の光子1個のエネルギー×独立した磁気の光子の自転軌道＝7.472×10−45J×A ×3.598×10−12ｍ÷A＝2.688×10−56Jm
この値は、磁気の光子の自転軌道エネルギーの4.4倍です。これは、磁気の光子が独立した時、軌道を4.4倍に拡大したと考えたためです。
１０．  宇宙において、熱になる電気の光子の軌道と1秒間にできる電気の光子のエネルギーと温度と熱粒子１個のエネルギーと熱粒子の軌道と熱粒子の軌道エネルギーはどのようになっているのか。
例えば、電子のラブの公転軌道が10−16ｍの場のAはいくらか。
1.058×10−10ｍ÷A=10−16ｍ
A≒10−10ｍ÷10−16ｍ＝106        この場のAは106です。
熱になる電気の光子の軌道は、2.073×10−5ｍ÷A ＝2.073×10−5ｍ÷106＝2.073×10−11ｍ、です。
1秒間にできる電気の光子のエネルギーは、3.769×10−21J×A＝3.769×10−21J×106＝3.769×10−15J＝106℃、です。この場の温度は、1012℃です。
熱粒子１個のエネルギーは、7.472×10−45J×A＝7.472×10−45J×106＝7.472×10−39J、です。
熱粒子の軌道は、8.177×10−13ｍ÷A＝8.177×10−13ｍ÷106＝8.177×10−19ｍ、です。
熱粒子の軌道エネルギーは、7.472×10−45J×A×8.177×10−13ｍ÷A＝6.110×1057Jm、です。
１１．  宇宙において、引力になる電気の光子の軌道と1秒間にできる磁気の光子のエネルギーと磁気の光子1個のエネルギーと磁気の光子の自転軌道と独立した磁気の光子の自転軌道と引力になる磁気の光子の自転軌道エネルギーはいくらか。
例えば、電子のラブの公転軌道が10−16ｍの場のAはいくらか。
1.058×10−10ｍ÷A=10−16ｍ
A≒10−10ｍ÷10−16ｍ＝106        この場のAは106です。
熱になる電気の光子の軌道は、2.073×10−5ｍ÷A ＝2.073×10−5ｍ÷106＝2.073×10−11ｍ、です。
1秒間にできる磁気の光子のエネルギーは、3.769×10−21J×A＝3.769×10−21J×106＝3.769×10−15J、です。
磁気の光子1個のエネルギーは、7.472×10−45J×A＝7.472×10−45J×106＝7.472×10−39J、です。
磁気の光子の自転軌道は、8.177×10−13ｍ÷A＝8.177×10−13ｍ÷106＝8.177×10−19ｍ、です。
独立した磁気の光子の自転軌道は、3.598×10−12ｍ÷A＝3.598×10−12ｍ÷106＝3.598×10−18ｍ、です。
引力になる磁気の光子の自転軌道エネルギーは、7.472×10−45J×A ×3.598×10−12ｍ÷A＝2.688×10−56Jm、です。
表3
2009207352.tif 000005
a×d＝1.356×10−32Jm＝3.082×10−33Jm ×4.4＝1原子でできる万有引力定数
a×c＝3.082×10−33Jm
b×c＝6.112×10−57Jm＝自転軌道エネルギー
b×d＝2.688×10−56Jm=自転軌道エネルギー×4.4
１２．  銀河系とアンドロメダ銀河は衝突するか。時代が進むにつれて、銀河と銀河の衝突する可能性はどのようになるか。
(１)引力は磁気の光子のエネルギーによってできると考える場合。
空間が10倍に拡大すると引力はどのようになるか。
空間が10倍に拡大すると、1秒間にできる磁気の光子のエネルギーは1/10になる。
空間が10倍に拡大すると、距離は10倍になる。
それで、引力は、引力＝エネルギー2÷距離2＝(10−1)2÷102＝10−4(倍)になる。
空間が拡大するほど引力は小さくなる。
よって、アンドロメダ銀河と銀河系は衝突しない。
よって、銀河と銀河の衝突する可能性は少なくなる。
(２)引力は万有引力定数である、1秒間にできる磁気の光子の自転軌道エネルギーによってできると考える場合。
空間が10倍に拡大しても、1秒間にできる磁気の光子の軌道エネルギーは変わらない。
それで、引力は、引力＝エネルギー2÷距離2＝１÷102＝10−2(倍)になる。
よって、アンドロメダ銀河と銀河系は衝突しない。
よって、銀河と銀河の衝突する可能性は少なくなる。
１３．  ダークマターは、1秒間にどれだけの引力を作っているか。
ダークマターは、自転する電子のラブと自転する陽子のラブです。
それで、自転したまま引力を作っています。
1秒間に作る磁気の光子のエネルギーはいくらか。
−273℃の場のAは、A=(−273)1/2＝−16.522
この温度の場の公転軌道は、1.058×10−10ｍ×16.522＝1.748×10−9ｍ
自転軌道は、1.748×10−9−8ｍ＝1.748×10−17ｍです。
この自転によってできる1個の磁気の光子のエネルギーは、
6.112×10−57Jm÷(1.748×10−17ｍ)＝3.497×10−40Jです。
1秒間にできる磁気の光子のエネルギーは、1秒間に(7.96×107)3自転ですから、
3.497×10−40J×(7.96×107)3自転＝1.764×10−16J、です。
引力は自転軌道×1秒間にできる磁気の光子のエネルギーですから、
引力＝1.748×10−17ｍ×1.764×10−16J＝3.083×10−33Jm、です。
1原子でできる引力と同じです。
ダークマターも原子と同じ引力を作っている。
低エネルギーの場でも、1個の電子のラブが作る引力は3.083×10−33Jmです。
宇宙全体でできる引力は、宇宙全体の電子のラブの数×1.356×10−32Jmです。
１４．  宇宙はこのまま膨張するのか、又は収縮するのか。
(１)引力は磁気の光子のエネルギーによってできると考える場合。
空間が10倍に拡大すると引力はどのようになるか。
空間が10倍に拡大すると、1秒間にできる磁気の光子のエネルギーは1/10になる。
空間が10倍に拡大すると、距離は10倍になる。
それで、引力は、引力＝エネルギー2÷距離2＝(10−1)2÷102＝10−4(倍)になる。
空間が拡大するほど引力は小さくなる。
よって、宇宙はこのまま拡大する。
(２) 引力は磁気の光子の自転軌道エネルギー(1秒間にできる磁気の光子のエネルギー×自転軌道)によってできると考える場合。
宇宙の電子のラブの数は普遍です。そして、1個の電子のラブが作る引力は、原子の状態でもダークマターの状態でも1.356×10−32Jmです。
宇宙全体でできる引力は、宇宙の電子のラブの数×1.356×10−32Jm＝一定、です。
宇宙空間は拡大している。
引力＝1÷拡大2
よって、引力は空間の拡大2分の1になるので、宇宙はこのまま膨張する。
１５．  高エネルギーの場において、はたして引力を作っているのは、万有引力係数である1原子が1秒間に作る磁気の光子のエネルギー×自転軌道＝1.356×10−32Jm、であるのか。それとも、1原子が1秒間に作る磁気の光子のエネルギーであるのか。
1原子が1秒間に作る磁気の光子のエネルギー×自転軌道＝1.356×10−32Jmです。
これは、どのようなエネルギーの場においても同じです。
しかし、高エネルギーの場において、1秒間にできる磁気の光子のエネルギーは異なります。高エネルギーの場では、1秒間にできる磁気の光子のエネルギーは大きい。このエネルギーが引力を作っているのではないだろうか。
もし、1原子が1秒間に作る磁気の光子のエネルギー×自転軌道＝1.356×10−32Jm、が引力を作っているのでしたら、宇宙全体の引力はどの時代でも同じです。この引力で引き止められている空間は同じです。
しかし、電子のラブの公転軌道が小さい場合、エネルギーは大きく、空間は小さい。
磁気の光子のエネルギーは大きく、引力は大きく、空間は小さい。
宇宙の引力が大きい場では、空間は小さい。
宇宙の引力が小さい場では、空間は大きくなる。
エネルギー×空間＝一定    磁気の光子のエネルギー×空間＝一定    引力×空間＝一定
それで、高エネルギーの場のクエーサーは小さい。
低エネルギーの場の銀河は大きい。
時代と共にエネルギーは小さくなり、空間は大きくなる。
大きい磁気の光子のエネルギーの場のクエーサーは小さい。
小さい磁気の光子のエネルギーの場の銀河は大きい。
大きい引力の場のクエーサーは小さい。
小さい引力の場の銀河は大きい。
これを、クエーサーの大きさと銀河系の大きさで確認する。
銀河系の直径は105光年です。クエーサーは10日光とすると、2πｒ＝10×24時間×60×60×3×105Km
ｒ＝2.592×1011Km÷2π＝4.127×1010Km
銀河系は半径５万光年です。
半径＝5×104×9.46×1012Km=4.73×1017Km
銀河系はクエーサーの107倍になりました。
クエーサーは、約1億歳です。銀河系は約136億歳とします。
1億歳の電子のラブの公転軌道は、10−16ｍです。
136億歳の電子のラブの公転軌道は、1.36×10−14ｍです。
それで、1億歳の場の1秒間にできる磁気の光子のエネルギーは、3.769×10−15Jです。
136億歳の場のAは、1.058×10−10ｍ÷A=1.36×10−14ｍ
A=1.058×10−10ｍ÷(1.36×10−14ｍ)＝7.779×103、です。
1秒間にできる磁気の光子のエネルギーは、3.769×10−21J×A=3.769×10−21J×7.779×103＝2.932×10−17J、です。
1億歳のエネルギーは、3.769×10−15J÷(2.932×10−17J)＝1.285×102倍です。
それで、引力は、磁気の光子のエネルギーの倍数2÷距離の拡大2＝(1.285×102)4＝2.726×108倍であった。
それで、1億歳の大きさは、2.726×108分の1です。
1÷(2.726×108)＝3.668×10−9倍です。
クエーサーの大きさは、銀河系の大きさの、4.127×1010Km÷(4.73×1017Km)＝8.725×10−8倍です。
これは、１億歳のクエーサーの大きさを10日光としたからです。
3.668×10−9倍の大きさのクエーサーの半径はいくらか。これは何日光か。
半径は、
4.73×1017Km×3.668×10−9＝1.735×109Km、です。
この円周は、2π×1.735×109Km＝1.090×1010Km、です。
この円周は、何日光か。
1.090×1010Km÷(24時間×60×60×3×105Km)＝0.420日光です。
即ち、1億歳の宇宙に半径1.735×1010Kmのクエーサーがありました。それは1周するのに光速で0.42日かかります。
1億歳の場の磁気の光子のエネルギーは、1原子で1秒間に3.769×10−15J できます。
136億歳の場では、1原子で1秒間に2.932×10−17Jできます。
磁気の光子のエネルギーは、2.932×10−17J÷(3.769×10−15J)＝7.779×10−3倍です。
それで、引力は、エネルギー2÷距離2＝(7.779×10−3)4＝3.662×10−9倍です。
大きさの比は、3.662×10−9：１です。
クエーサーの半径：銀河系の半径＝1.735×109Km：4.73×1017Km＝ｘ：１
ｘ＝1.735×109Km÷(4.73×1017Km)＝3.668×10−9
この事によって理解できる事。
1.1秒間にできる磁気の光子のエネルギー比の4乗倍が大きさの比になる事が理解できた。
2.高エネルギーの場で、引力を作っているのは、万有引力係数である1原子が1秒間に作る磁気の光子のエネルギー×自転軌道＝1.356×10−32Jm、ではなく、1原子が1秒間に作る磁気の光子のエネルギーです。
１６．  宇宙が膨張すると、1秒間にできる磁気の光子のエネルギーは減少する。宇宙が膨張すると、1秒間にできる熱のエネルギーは減少する。宇宙の電子のラブの公転軌道×1秒間にできる熱のエネルギー(引力になる磁気の光子のエネルギー)の式はどのようであるか。宇宙の電子のラブの公転軌道×熱粒子のエネルギー(磁気の光子１個のエネルギー)の式はどのようであるか。
宇宙が膨張しても、万有引力定数である、(1秒間にできる磁気の光子のエネルギー×自転軌道)の引力は一定であり、変わらない。
宇宙が膨張すると、1秒間にできる熱のエネルギーは減少する。
宇宙が膨張すると、1秒間にできる磁気の光子のエネルギーは減少する。
宇宙が膨張すると、熱になる電子のラブの軌道は大きくなる。
宇宙が膨張すると、熱粒子の大きさと独立した磁気の光子の大きさは大きくなる。
これにより、熱と引力の宇宙軌道エネルギーの式ができる。
「宇宙の熱と引力の式」
場のA=10−10ｍ÷電子のラブの公転軌道
場の温度＝(10−10ｍ÷電子のラブの公転軌道)2
a. 電子のラブの公転軌道÷熱になる電気の光子の軌道＝4.824×10−6
熱になる電気の光子の軌道＝電子のラブの公転軌道÷(4.824×10−6)
b. 電子のラブの公転軌道×1秒間にできる熱のエネルギー(磁気の光子のエネルギー)＝3.769×10−31Jm
1秒間にできる熱のエネルギー(磁気の光子のエネルギー)＝3.769×10−31Jm÷電子のラブの公転軌道
c. 電子のラブの公転軌道×1個の熱粒子のエネルギー(1個の磁気の光子のエネルギー)＝7.472×10−55Jm
1個の熱粒子のエネルギー(1個の磁気の光子のエネルギー)＝7.472×10−55Jm÷電子のラブの公転軌道
d. 電子のラブの公転軌道÷自転軌道＝1.223×102
自転軌道＝電子のラブの公転軌道÷(1.223×102)
e. 電子のラブの公転軌道÷独立した磁気の光子の自転軌道＝1.223×102÷4.4
独立した磁気の光子の自転軌道＝電子のラブの公転軌道÷(1.223×102)×4.4
f. 熱粒子の軌道エネルギー＝1個の熱粒子のエネルギー×自転軌道＝7.472×10−55Jm÷電子のラブの公転軌道×電子のラブの公転軌道÷(1.223×102)＝6.110×10−57Jm
g. 1個の磁気の光子の自転軌道エネルギー＝1個の磁気の光子のエネルギー×独立した磁気の光子の自転軌道＝7.472×10−55Jm÷電子のラブの公転軌道×電子のラブの公転軌道÷(1.223×102)×4.4＝2.688×10−56Jm
h. 1秒間にできる熱のエネルギー×自転軌道＝3.769×10−31Jm÷電子のラブの公転軌道×電子のラブの公転軌道÷(1.223×102)＝3.082×10−33Jm
i. 1原子でできる引力定数＝1秒間にできる磁気の光子のエネルギー×独立した磁気の光子の自転軌道＝3.769×10−31Jm÷電子のラブの公転軌道×電子のラブの公転軌道÷(1.223×102)×4.4＝1.356×10−32Jm
表4
2009207352.tif 000006
この事から理解できた事。
1.この事によって、熱のエネルギーと引力のエネルギーは同じである事を理解できた。
2.高エネルギーの場では、高エネルギーの熱粒子ができる。
しかし、1個の熱粒子の軌道×エネルギーは、6.110×10−57Jm であり、どのようなエネルギーの場においても同じである。
3.高エネルギーの場では、高エネルギーの磁気の光子ができ、高エネルギーの引力ができる。
しかし、1個の磁気の光子の軌道×エネルギーは、 2.688×10−56Jmであり、どのようなエネルギーの場においても同じである。
4.どのように高エネルギーの場においても、1原子でできる引力定数は、1原子で1秒間にできる磁気の光子のエネルギー×自転軌道×4.4＝1.356×10−32Jmである。しかし、引力を作っているのは、これではなく、1秒間にできる磁気の光子のエネルギーである。
5.高エネルギーの場では、熱になる光子の軌道は小さくなる。熱は遠赤外線だけでできるのではない。
１７．  「万有引力定数」から「万有熱定数」「万有熱粒子の軌道エネルギー定数」「万有引力となる磁気の光子の軌道エネルギー定数」を導く。
万有引力定数は、どのようなエネルギーの場においても、1原子が1秒間に作る磁気の光子のエネルギー×磁気の光子の自転軌道＝1.356×10−32Jｍである、ということです。
このように、どのようなエネルギーの場でも、一定である数値を万有定数と定義する。
・1原子が1秒間に作る熱エネルギー×自転軌道＝3.082×10−33Jm。これも、万有定数です。
これを、「万有熱定数」と名付ける。
・1個の熱粒子の軌道エネルギー＝6.110×10−57Jm。これも万有定数です。
これを、「万有熱粒子の軌道エネルギー定数」と名付ける。
・1個の磁気の光子の自転軌道エネルギー＝2.688×10−56Jm。これも万有定数です。
これを、「万有引力となる磁気の光子の軌道エネルギー定数」と名付ける。
【産業上の利用可能性】
【０００９】
この発明は、地球の中の状態を知り、地震や火山の噴火の状態を知る事に役立つ。地球産業に役立つ。高エネルギーを常時得ようと思うならば、地下のエネルギーを利用すると良い。発電に利用できる。火山の熱エネルギーで発電は可能である。
太陽の中の状態を知る事に役立つ。
引力と熱の関係を理解できる。高熱の場は高引力の場である、高引力の場を作るには、高熱の場を作ると良い。
【符号の説明】
【００１０】
１．電気の光子の軌道熱になる
２．7.96×107箇所で切れる。
３．熱粒子(軌道エネルギーは、6.110×10−57Jm)
４．電子のラブの自転でできた磁気の光子
５．独立した磁気の光子(軌道エネルギーは2.688×10−56Jm)
６．独立する時自転軌道は4.4倍になる。
【図１】
2009207352.tif 000011